(57)【要約】  従来の呼吸噴霧器は、迅速、確実に、及び簡易な機械的送達システムへの手動力の1回の推進力によって、噴霧チャンバに直接、貯蔵薬物投与量を送達するための、緊急時に便利に使用できる緊急薬物投与量貯蔵システムを有し、それにより、噴霧器を２つのステップ：（ａ）簡易な開放動作によって薬物カプセルを開放するステップ、及び（ｂ）噴霧薬物を吸入するステップ、で使用できるようにする。噴霧器は、噴霧チャンバを露出するように噴霧器ハウジングを分解することなく、液体薬物容器を手動で開放することなく、液体薬物をこぼさず、そして噴霧チャンバへ直接手動注入することなく、かつ噴霧薬物を吸入するために吸入器マウスピースを口内に位置決めする前に噴霧器ハウジングを再度組み立てることなく、操作される。
2010538790.tif 000002
【特許請求の範囲】
【請求項１】
薬物を収容する噴霧チャンバを有する垂直に伸長するハウジングと、
前記薬物を噴霧状にするためにコンプレッサから圧縮空気を受け入れる前記ハウジング底部の開口部と、
噴霧薬物を受け取るために、前記ハウジングから上方に伸長する接続管を介して前記ハウジングに結合された、前記噴霧器ハウジング上方の呼吸器と、
前記噴霧薬物を受けるために患者によって使用される、前記呼吸器に備えられたマウスピースと、
前記呼吸器に取り付けられた、前記噴霧チャンバを薬物で再充填する装置と、
前記装置に含まれる、前記接続管と一列に並べられた、薬物投与カプセルを受けるためのカプセル貯蔵チャンバを含む再充填管と、
前記カプセル貯蔵チャンバ内で重力により前記薬物を前記噴霧チャンバに放出するために、前記薬物投与カプセルの側方を介して切り取ることによって前記薬物投与カプセルを分断し、前記薬物投与カプセルの下部の除去及び移動を引き起こす分断手段と、
を含む半自動緊急薬物投与噴霧器。
【請求項２】
前記分断手段が、前記再充填管に取り付けられた切断アセンブリを含み、前記切断アセンブリが、前記カプセルを切断及び開放するための角度を付けた刃先を備えた切断ブレードを含む請求項１に記載の半自動緊急薬物投与噴霧器。
【請求項３】
前記切断アセンブリが、プランジャーガイドと、前記プランジャーガイド内で摺動自在なプランジャーとを更に含み、前記ブレードは、前記プランジャーが前記再充填管に向けて前進した時に前記カプセルを分断するように、前記プランジャーの先端に取り付けられる請求項２に記載の半自動緊急薬物投与噴霧器。
【請求項４】
前記カプセルが前記ブレードによって分断された後に前記ブレードの後方で前記薬物が流れることを可能にするために、前記プランジャーが、平らな前記ブレードの後方にプランジャー流出開口部を有する請求項３に記載の半自動緊急薬物投与噴霧器。
【請求項５】
前記プランジャーガイド及び前記プランジャーのそれぞれが、薬物を前記薬物チャンバへ放出する片手操作を可能にする各々のフィンガ／ハンドグリップを有する請求項４に記載の半自動緊急薬物投与噴霧器。
【請求項６】
切断のための前記角度を付けた刃先は、前記プランジャーの側面から約４５度の斜角である請求項５に記載の半自動緊急薬物投与噴霧器。
【請求項７】
前記再充填管が、前記カプセルを受け入れるための頂部開口部を有し、前記カプセルが前記再充填管の前記カプセル貯蔵チャンバ内にある時に、前記頂部開口部を覆う取り外し可能なキャップを前記頂部開口部に備える請求項６に記載の半自動緊急薬物投与噴霧器。
【請求項８】
前記プランジャーが、前記カプセルの分断部分を前記薬物の流線の外に押し出すための、前記ブレードの後方に取り付けられたフォロワパドルを有する請求項７に記載の半自動緊急薬物投与噴霧器。
【請求項９】
前記フォロワパドルが、下方に角度を付けられた頂部を有し、前記フォロワパドルの接触領域は、前記切断ブレードの下方にある請求項８に記載の半自動緊急薬物投与噴霧器。
【請求項１０】
前記カプセル貯蔵チャンバが、カプセル支持台を含むカプセル装填領域を含み、前記カプセル支持台は、前記カプセルに前記切断ブレードが接触する適切な予め決定された位置に前記カプセルを位置決めするカプセル位置決め穴を有する請求項９に記載の半自動緊急薬物投与噴霧器。
【請求項１１】
前記カプセルが、流体が流れ出る穴に収容されることを防ぎ、かつ前記カプセルが、前記カプセル貯蔵チャンバ内で前記カプセル支持台の前記カプセル位置決め穴に嵌め込まれることを容易にするために、前記カプセル貯蔵チャンバの一方の側面に与えられたカプセル安定ブロックと、前記カプセル貯蔵チャンバの反対側面に並置して与えられたカプセルガイドとを更に含む請求項１０に記載の半自動緊急薬物投与噴霧器。
【請求項１２】
前記カプセルを前記貯蔵チャンバ内で押し下げるために、前記キャップ内に取り付けられたコイルばねを有する請求項７に記載の半自動緊急薬物投与噴霧器。
【請求項１３】
前記カプセルが分断される時に、圧縮空気を前記噴霧器チャンバに送達するために前記コンプレッサを起動する起動手段を有する請求項２に記載の半自動緊急薬物投与噴霧器。
【請求項１４】
前記起動手段が、前記プランジャーの固定フィンガグリップに取り付けられたスイッチを含み、前記プランジャーの前記フィンガ／ハンドグリップが前記カプセルを分断するために動かされると、前記スイッチが始動する請求項１３に記載の半自動緊急薬物投与噴霧器。
【請求項１５】
前記コンプレッサの噴霧コンプレッサモータを自動的に始動する改良の補助プラグ接続式の始動ボックスを更に含み、前記始動ボックスが、前記コンプレッサモータを作動させるプラグを挿入するために与えられる第１のコンセントを含み、前記コンプレッサは、前記コンプレッサの前記起動手段が機能しないときに、前記コンプレッサモータを始動できる緊急押しボタンを有する請求項１４に記載の半自動緊急薬物投与噴霧器。
【請求項１６】
前記起動手段は、単独の耐故障システムであり、前記コンプレッサを操作する変圧器と、前記プランジャーのハンドグリップによる接触で起動するスイッチとを更に含む請求項１４に記載の半自動緊急薬物投与噴霧器。
【請求項１７】
前記スイッチが、交互のオン及びオフ位置を有するロッカースイッチである請求項１６に記載の半自動緊急薬物投与噴霧器。
【請求項１８】
前記スイッチが、磁気スイッチである請求項１６に記載の半自動緊急薬物投与噴霧器。
【請求項１９】
暗闇での視覚的なアクセス手段を提供するために、利用者が挿入可能な常夜灯のプラグのための第２のコンセントを更に含む請求項１５に記載の半自動緊急薬物投与噴霧器。
【請求項２０】
前記ロッカースイッチが、２線式の接触維持ロッカースイッチである請求項１７に記載の半自動緊急投与噴霧器。
【請求項２１】
前記コンプレッサが、リレーを操作するために低圧電力を供給する変圧器と、前記スイッチが閉じてかつ回路が完全である時に前記変圧器がリレーコイルの通電について待機状態で作動していることを示す常時作動の表示ランプとを含み、前記スイッチの起動が前記リレーコイルに電圧を提供し、それにより通常開放のリレースイッチ接点が閉じることで前記コンプレッサモータに通電し、更に作動が前記スイッチの起動の試みによって開始されない場合に、前記コンプレッサのハウジング上の手動オーバライドスイッチが、前記コンプレッサの作動を開始する請求項１４に記載の半自動緊急投与噴霧器。
【請求項２２】
薬物を収容する噴霧チャンバを有する垂直に伸長するハウジングと、
前記薬物を噴霧状にするためにコンプレッサから圧縮空気を受け入れる前記ハウジング底部の開口部と、
噴霧薬物を受け取るために、前記ハウジングから垂直上方に伸長する接続管を介して前記ハウジングに結合された、前記噴霧器ハウジング上方の呼吸器と、
前記噴霧薬物を受けるために患者によって使用される、前記呼吸器に備えられたマウスピースと、
前記呼吸器に接して上方に取り付けられた、前記噴霧チャンバを薬物で補充する装置と、
前記装置に含まれる、前記接続管と一列に並べられた、薬物投与カプセルを受けるための予め装填されるカプセル貯蔵チャンバを含む補充管と、
前記カプセル貯蔵チャンバ内で重力により前記薬物を前記噴霧チャンバに放出するために、前記薬物投与カプセルの側方を介して切り取ることで前記薬物投与カプセルの下部を完全に切断する分断手段とを含み、
前記分断手段が、ホルダの遠位端に取り付けられた角度付きの刃先を備えた切断ブレードと、前記ホルダを初期位置から前記切断ブレードが前記薬物投与カプセルを切断するまで前進させて前記薬物が前記噴霧チャンバに流れることを可能にする電気モータの作動を開始するためのスイッチとを含む、
半自動緊急薬物投与噴霧器。
【請求項２３】
前記ホルダの反対端が、主ねじによって駆動されるガイドに取り付けられ、前記電気モータは、前記主ねじを回転するように構成される請求項２２に記載の半自動緊急薬物投与噴霧器。
【請求項２４】
前記スイッチが、押しボタンである請求項２３に記載の半自動緊急薬物投与噴霧器。
【請求項２５】
前記薬物投与カプセルが分断された後に前記ホルダの運動を停止するために取り付けられた第１のリミットスイッチを有する請求項２４に記載の半自動緊急薬物投与噴霧器。
【請求項２６】
前記第１のリミットスイッチが作動した後に前記ホルダの運動を反転させる手段を有する請求項２５に記載の半自動緊急薬物投与噴霧器。
【請求項２７】
前記初期位置に到達した後に前記ホルダの反転運動を終了させる第２のリミットスイッチを有する請求項２６に記載の半自動緊急薬物投与噴霧器。
【請求項２８】
前記主ねじを一方に回転させて前記ホルダを前進させ、前記主ねじを反対方向に回転させて前記ホルダを後退させるために、前記電気モータの作動を制御する回路を有する請求項２７に記載の半自動緊急薬物投与噴霧器。
【請求項２９】
前記押しボタンは、押されると、前記薬物投与カプセルを分断するために前記ホルダを前進させ、そして前記薬物投与カプセル交換後の新しいサイクルの準備のために前記初期位置に戻す、完全に自動のサイクルを作動させる請求項２８に記載の半自動緊急薬物投与噴霧器。
【請求項３０】
前記電気モータが、低出力速度歯車モータである請求項２２に記載の半自動緊急薬物投与噴霧器。
【請求項３１】
前記歯車モータが、前記ホルダを前進させるために、ラック歯車と係合したピニオン歯車を駆動するために接続される請求項３０に記載の半自動緊急薬物投与噴霧器。
【請求項３２】
前記カプセルを分断した後に前記ホルダを停止して後退させるための第１のリミットスイッチを有する請求項３１に記載の半自動緊急薬物投与噴霧器。
【請求項３３】
前記初期位置に後退したところで前記ホルダを停止する第２のリミットスイッチを有する請求項３２に記載の半自動緊急薬物投与噴霧器。
【請求項３４】
薬物を収容する噴霧チャンバを有する垂直に伸長するハウジングと、
前記薬物を噴霧状にするためにコンプレッサから圧縮空気を受け入れる前記ハウジング底部の開口部と、
噴霧薬物を受け取るために、前記ハウジングから垂直上方に伸長する接続管を介して前記ハウジングに結合された、前記噴霧器ハウジング上方の呼吸器と、
前記噴霧薬物を受けるために患者によって使用される、前記呼吸器に備えられたマウスピースと、
薬物投与カプセルを受けて予め装填するための、前記接続管の上方で前記接続管と一列に並べられたカプセル貯蔵チャンバと、
前記カプセルの下端を固定するための、前記カプセル貯蔵チャンバに備えられた基底支持リングと、
前記カプセル貯蔵チャンバの上部開口部に備えられた取り外し可能なキャップと、
前記取り外し可能なキャップが備えた、前記キャップが定位置にある時に、前記貯蔵チャンバの側壁に沿って前記カプセルの上端を固定する固定手段と、
前記カプセル貯蔵チャンバ内で重力により前記薬物を前記噴霧チャンバに放出するために、前記薬物投与カプセルの側方を切ることで前記薬物投与カプセルの下部を完全に分断するための分断手段とを含み、
前記分断手段が、水平に伸長するプランジャーの近位端に取り付けられた分断装置と、前記カプセルを開放するまで前記カプセルに向けて前記プランジャーを駆動して前記薬物が重力により前記噴霧チャンバに流れることを可能にする手段とを含む、
半自動緊急薬物投与噴霧器。
【請求項３５】
前記取り外し可能なキャップの固定手段が、前記キャップの下側に取り付けられたばね負荷式の円錐形部材を含み、それにより前記キャップが、前記カプセル貯蔵チャンバの前記頂部開口部を閉めるために位置決めされると、前記円錐形部材の縁部が、前記カプセル貯蔵チャンバの側壁に対して前記カプセルの上端を押す、請求項３４に記載の半自動緊急薬物投与噴霧器。
【請求項３６】
前記プランジャーを駆動する手段が、固定フィンガ／ハンドレストと、前記プランジャーの遠位端に取り付けられた可動フィンガ／ハンドレストとを含み、前記フィンガ／ハンドレストを一緒に握ることにより、前記プランジャーが前記カプセルに向かって前進する請求項３４に記載の半自動緊急薬物投与噴霧器。
【請求項３７】
前記プランジャーを駆動する手段が、機械的な利点を提供するためのプライヤアセンブリを含む請求項３４に記載の半自動緊急薬物投与噴霧器。
【請求項３８】
前記プライヤアセンブリが、
固定ピボットブラケット及び前記プランジャーの遠位端に取り付けられた可動ピボットブラケットのそれぞれに取り付けられた遠位端を有する一対のプライヤ部材と、
前記プランジャーを駆動する際に前記機械的な利点をもたらすための前記プライヤ部材の近位端上のプライヤグリップと、
を含む請求項３７に記載の半自動緊急薬物投与噴霧器。
【請求項３９】
薬物を収容する噴霧チャンバを有する垂直に伸長するハウジングと、
前記薬物を噴霧状にするためにコンプレッサから圧縮空気を受け入れる前記ハウジング底部の開口部と、
噴霧薬物を受け取るために、前記ハウジングから垂直上方に伸長する接続管を介して前記ハウジングに結合された、前記噴霧器ハウジング上方の呼吸器と、
前記噴霧薬物を受けるために患者によって使用される、前記呼吸器に備えられたマウスピースと、
前記呼吸器に接して上方に取り付けられた、前記噴霧チャンバを薬物で補充する装置と、
前記装置に含まれる、前記接続管と一列に並べられた、薬物投与カプセルを受けるためのカプセル貯蔵チャンバを含む補充管と、
前記貯蔵チャンバ内で前記カプセルの側方を切るブレードを含むカッターアセンブリとを含み、
前記カッターアセンブリは、前記ブレードの後方の鈍い圧縮ヘッドを含み、重力によって前記噴霧チャンバに流れる薬物を放出するために、前記鈍い圧縮ヘッドが前記カプセルと接触すると前記カプセルが破断し、前記カッターアセンブリは、ブレードホルダの遠位端に取り付けられた切断ブレードと、前記切断ブレードを前進させるプランジャーとを含む、
半自動緊急薬物投与噴霧器。
【請求項４０】
前記ブレードホルダが、角度を有して伸長する切断ブレードを支持する請求項３９に記載の半自動緊急薬物投与噴霧器。
【請求項４１】
前記ブレードホルダが、角度を有して伸長する交換式切断ブレードを支持する請求項３９に記載の半自動緊急薬物投与噴霧器。
【請求項４２】
前記カプセル貯蔵チャンバが、複数サイズのカプセルを収容する手段を含む請求項３９に記載の半自動緊急薬物投与噴霧器。
【請求項４３】
前記キャップが常に所定位置で適切な向きでロックされることを確実にする手段を有する請求項３９に記載の半自動緊急薬物投与噴霧器。
【請求項４４】
異なる直径の一対の反対向きのロックピンが、前記上部開口部に隣接して前記カプセル貯蔵チャンバの内側に取り付けられ、前記キャップが、一対の適合するピン溝を有する請求項４３に記載の半自動緊急薬物投与噴霧器。
【請求項４５】
前記カッターアセンブリの起動がまた、前記噴霧チャンバを薬物で補充する装置を起動するためのスイッチを起動する請求項３９に記載の半自動緊急薬物投与噴霧器。
【請求項４６】
ケーブルコネクタが係合され、電力がオンであるが、前記スイッチがオフ位置にある待機モードを示すために加えられた表示灯を更に含む請求項４５に記載の半自動緊急薬物投与チャンバ。
【請求項４７】
前記表示灯の発光体が緑色発光ダイオード（ＬＥＤ）である請求項４６に記載の半自動緊急薬物投与噴霧器。
【請求項４８】
前記ブレードの前記角度の向きが水平である請求項４０に記載の半自動緊急薬物投与噴霧器。
【請求項４９】
前記ブレードの前記角度の向きが斜めである請求項４０に記載の半自動緊急薬物投与噴霧器。
【請求項５０】
前記ブレードの前記角度の向きが垂直である請求項４０に記載の半自動緊急薬物投与噴霧器。
【請求項５１】
少なくとも１つの追加の、角度を有して向けられたブレードを更に含む請求項４０に記載の半自動緊急薬物投与噴霧器。
【請求項５２】
薬物を収容する噴霧チャンバを有する垂直に伸長するハウジングと、
前記薬物を噴霧状にするためにコンプレッサから圧縮空気を受け入れる前記ハウジング底部の開口部と、
噴霧薬物を受け取るために、前記ハウジングから垂直上方に伸長する接続管を介して前記ハウジングに結合された、前記噴霧器ハウジング上方の呼吸器と、
前記噴霧薬物を受けるために患者によって使用される、前記呼吸器に備えられたマウスピースと、
前記呼吸器の上方に取り付けられた、前記噴霧チャンバを薬物で補充する装置と、
前記装置に含まれる、前記接続管と一列に並べられた、薬物投与カプセルを受けるための予め装填されるカプセル貯蔵チャンバを含む補充管と、
前記カプセル貯蔵チャンバ内で重力により前記薬物を前記噴霧チャンバに放出するために、前記カプセルの側面を切ることによって前記薬物投与カプセルを完全に切断する分断手段とを含み、
前記分断手段は、ホルダの遠位端に取り付けられた切断ブレードと、前記切断ブレードを前進させるプランジャーとを含み、
前記プランジャーは、プランジャーガイド内で好ましい位置に前記プランジャーを導く少なくとも１つの位置のガイドを有する、
半自動緊急薬物投与噴霧器。
【請求項５３】
薬物を収容する噴霧チャンバを有する垂直に伸長するハウジングと、
前記薬物を噴霧状にするためにコンプレッサから圧縮空気を受け入れる前記ハウジング底部の開口部と、
噴霧薬物を受け取るために、前記ハウジングから垂直上方に伸長する接続管を介して前記ハウジングに結合された、前記噴霧器ハウジング上方の呼吸器と、
前記噴霧薬物を受けるために患者によって使用される、前記呼吸器に備えられたマウスピースと、
前記呼吸器の上方に取り付けられた、前記噴霧チャンバを薬物で補充する装置と、
前記装置に含まれる、前記接続管と一列に並べられた、薬物投与カプセルを受けるための予め装填されるカプセル貯蔵チャンバを含む補充管と、
前記カプセル貯蔵チャンバ内で重力により前記薬物を前記噴霧チャンバに放出するために、前記カプセルの側面を切ることによって前記薬物投与カプセルを完全に切断する分断手段と、
カプセル方向ガイドと含み、
前記カプセル方向ガイドは、前記ブレードにより切断される位置にあるカプセルの存在を利用者に示す、視覚的に認知可能な表示が付けられたカプセル保持部材を有するキャップを含む、
半自動緊急薬物投与噴霧器。
【請求項５４】
薬物を収容する噴霧チャンバを有する垂直に伸長するハウジングと、
前記薬物を噴霧状にするためにコンプレッサから圧縮空気を受け入れる前記ハウジング底部の開口部と、
噴霧薬物を受け取るために、前記ハウジングから垂直上方に伸長する接続管を介して前記ハウジングに結合された、前記噴霧器ハウジング上方の呼吸器と、
前記噴霧薬物を受けるために患者によって使用される、前記呼吸器に備えられたマウスピースと、
前記呼吸器に接して上方に取り付けられた、前記噴霧チャンバを薬物で補充する装置と、
前記装置に含まれる、前記接続管と一列に並べられた、薬物投与カプセルを受けるためのカプセル貯蔵チャンバを含む補充管と、
前記カプセル貯蔵チャンバ内で重力により前記薬物を前記噴霧チャンバに放出するために、前記薬物投与カプセルを開放する開放手段とを含み、
前記薬物カプセルは、前記カプセルの下端に近接して弱められた領域を有し、
前記開放手段は、前記弱められた領域より上で前記カプセルの一部と当たる鈍い圧縮ヘッドを含み、前記カプセルの前記弱められた領域は、前記鈍い圧縮ヘッドが前記カプセルと接触し前記弱められた領域を開放する力を与えて前記カプセル内で圧力が増加すると破れて開放する、
半自動緊急薬物投与噴霧器。
【請求項５５】
噴霧器ハウジング内の薬物を収容する噴霧チャンバを有する噴霧器ハウジングに埋め込まれ、かつそこから外側に突出する薬物投薬のカプセル貯蔵チャンバと、
前記薬物を噴霧状にするためにコンプレッサから圧縮空気を受け入れる前記噴霧チャンバ底部の開口部と、
噴霧薬物を受け取るために患者によって使用されるマウスピースを有する呼吸器から伸長する接続管を介して前記ハウジングに結合した、前記噴霧器ハウジングの上方の呼吸器と、
前記噴霧チャンバに薬物を補充する装置とを含み、
前記装置は、薬物投与カプセルを受ける開口部を有する前記カプセル貯蔵チャンバを含み、
前記カプセル貯蔵チャンバは、一対の向かい合った端部を有し、前記端部の一方は、前記従来の噴霧チャンバの近傍に固定された内部噴霧器端であり、反対端が外端であり、前記カプセル貯蔵チャンバは、前記従来の噴霧器ハウジング内の前記従来の噴霧チャンバの近くから前記従来の噴霧器ハウジングを通って径方向外側に突出し、それにより前記カプセル貯蔵チャンバの外端は利用者にとって利用可能であり、
前記薬物投与カプセルは、前記内端の近くに圧力で破断可能なシールを有し、前記内端は、前記カプセル貯蔵チャンバ内に収容され、前記薬物投与カプセルの前記内端が、前記カプセル貯蔵チャンバの前記内端近くに嵌め込まれ、
前記カプセル貯蔵チャンバの前記外端が、前記シールの破れを引き起こし、それにより薬物を前記噴霧チャンバに放出する、前記薬物投与カプセル内で前記薬物に圧力を加える手段を含む、
半自動緊急薬物投与噴霧器。
【請求項５６】
前記薬物投与カプセルの前記外端に圧力を加える前記手段が、ピストンアセンブリを含む請求項５５に記載の半自動緊急薬物投与噴霧器。
【請求項５７】
前記ピストンアセンブリが、前記カプセル貯蔵チャンバと一体である請求項５６に記載の半自動緊急薬物投与噴霧器。
【請求項５８】
前記薬物投与カプセルが、噴霧される緊急の薬物投与量が予め充填された、利用者の取り外し可能な、利用者の交換可能な医療注射器を含む請求項５７に記載の半自動緊急薬物投与噴霧器。
【請求項５９】
前記注射器が、前記補充管の前記カプセル貯蔵チャンバを介して、前記噴霧チャンバに液体薬物を注入する請求項５８に記載の半自動緊急薬物投与噴霧器。
【請求項６０】
薬物をミストに圧縮するコンプレッサを有し、前記コンプレッサが、噴霧薬物を受けるために患者によって使用されるマウスピースを備えた呼吸器に圧縮空気を提供する、噴霧器内に液体薬物を注入するために必要とされる時間及び労力を減少させることにより、急性呼吸促迫に苦しむ人への速やかな症状緩和をもたらす半自動緊急薬物投与噴霧器であって、
貯蔵された投与量の液体薬物を噴霧チャンバに配備するために、噴霧器に1回の力の直線動作を加える加力装置と、
液体薬物の薬物投与カプセルを貯蔵するためのカプセル貯蔵チャンバ及び投与量の薬物を呼吸器に送達するための送達手段とを含み、
前記薬物投与カプセルは、前記カプセル貯蔵チャンバ内に維持され、前記カプセル貯蔵チャンバは、前記噴霧器と一体であり、前記薬物投与カプセルは、前記薬物投与カプセルに利用者の力を加えると開放可能であり、
前記加力装置は、前記カプセル貯蔵チャンバ内に貯蔵される前記薬物投与カプセルに挿入されるねじキャップを含み、前記薬物投与カプセルは、利用者が前記ねじキャップにトルクを加え、次に前記トルクを前記薬物投与カプセルに伝達すると前記カプセルの破損を引き起こす底部の切り取りタブを有し、前記カプセル貯蔵チャンバは、前記切り取りタブを係合して、前記薬物投与カプセルへトルクを加えた際にそれが回転することを防ぐために、その底端近くにカプセル拘束停止手段を有する、
半自動緊急薬物投与噴霧器。
【請求項６１】
前記加力装置が、前記薬物投与カプセルから前記切り取りタブを破るためのノブカムアセンブリを更に含み、前記薬物投与カプセルは、それぞれのカプセルつまみブレードの間にノブアクチベータ内のポートを通って挿入され、前記カプセル拘束停止手段まで下げられ、前記薬物投与カプセル及び前記切り取りタブの間での密封の破断後に、薬物が吸引のために、前記噴霧チャンバ内から前記マウスピースへ噴霧される請求項６０に記載の半自動緊急薬物投与噴霧器。
【請求項６２】
前記ノブアクチベータの回転が、前記カプセルつまみブレードの間で、したがって前記カムアセンブリのカム接触突出要素に対して、前記薬物投与カプセルのねじれを引き起こし、前記カムアセンブリが、前記ノブアクチベータの回転と一致して回転し、他方で前記拘束停止手段は、前記ノブカムアセンブリ内の前記薬物投与カプセルの回転中に前記薬物投与カプセルの前記切り取りタブを保持する請求項６１に記載の半自動緊急投与噴霧器。
【請求項６３】
前記ノブアクチベータ及び前記カムアセンブリの回転が、往復停止要素によって、好ましい円弧の運動に制限される請求項６２に記載の半自動緊急投与噴霧器。
【請求項６４】
前記ノブアクチベータ及び前記カムアセンブリの回転が、１８０度の円弧の運動に制限される請求項６３に記載の半自動緊急投与噴霧器。
【発明の詳細な説明】
【技術分野】
【０００１】
本発明は、投与量の液体薬物を従来の噴霧器の従来の噴霧チャンバに手軽に供給するための新規な一体構造を有する従来の噴霧器に関する。
【背景技術】
【０００２】
肺薬物は、呼吸障害を有する人が緊急で必要とすることがある。通常、喘息の発作に直面している人は、必死に薬物を得ようとする。しばしば、単発の手持ち式救急吸入器は、医学的に治療には不適当である。そのような場合に、ミスト噴霧器を必要とする。ミスト噴霧器は、マウスピースに取り付けられた小さなプラスチックチャンバを備えた空気ポンプ装置である。従来技術は、噴霧器が開放され、液体薬物がチャンバに加えられ、チャンバが閉鎖されてポンプが始動されることを必要とする。問題は、動きのしっかりした手及び手先の器用さを必要とするこの一連のステップが、呼吸ができないのでパニック状態であり得る喘息発作に苦しむ人にとって、成し遂げにくい可能性があることである。肺薬物は、呼吸障害を有する人が緊急で必要とすることがある。通常、喘息の発作に直面している人は、必死に薬物を得ようとする。噴霧器は、マウスピースに取り付けられた小さなプラスチックチャンバを備えた空気ポンプ装置である。従来技術は、噴霧器が開放され、液体薬物がチャンバに加えられ、チャンバが閉鎖されてポンプが始動されることを必要とする。
【発明の概要】
【発明が解決しようとする課題】
【０００３】
したがって、本発明の目的は、緊急時に投与量の液体薬物を従来の噴霧器の噴霧チャンバに迅速かつ手軽に供給する装置を提供することである。
【０００４】
本発明の更なる目的は、緊急時に確実に噴霧薬物を利用者に提供することである。
【０００５】
本発明の更なる目的は、従来の噴霧器を見つけた時点で利用者がすでに急性呼吸促迫にあり、従来の薬物を噴霧するために必要とされる次のステップ、すなわち（１）噴霧チャンバを露出させるように噴霧器ハウジングを分解するステップ、（２）噴霧する液体薬物の容器カプセルを見つけるステップ、（３）こぼさないように注意しながら、液体薬物容器を開放するステップ、（４）噴霧器チャンバの外側にこぼすことで少しの液体薬物も失うことなく、容器カプセルを絞って液体薬物を直接噴霧チャンバに注ぐステップ、（５）噴霧器ハウジングを再度組み立てるステップ、及び（６）噴霧薬物を吸入するために吸入器マウスピースを口内に位置決めするステップ、を助ける人がいない時に、緊急の噴霧薬物を利用者に提供することである。
【０００６】
本発明の更なる目的は、従来の噴霧器を見つけた時に急性呼吸促迫に苦しむ人にとって極めて複雑であり得る、薬物噴霧器の利用者が従うことを必要とされる従来の方法を簡略化することである。
【０００７】
本発明の好ましい実施態様の更なる目的は、（１）ねじキャップを１回ねじることで薬物を配備するステップ、及び（２）噴霧薬物を吸入するステップを含む、噴霧器中の投与量の液体薬物を使用する簡略化された確実な方法を提供することである。
【０００８】
本発明の更なる目的は、急性の呼吸の緊急事態時に、噴霧器を分解及び再度組み立てし、液体薬物を開放して注ぐことを必要とせずに、利用者の使いやすい使用によって従来の噴霧チャンバへの液体薬物の簡略化された確実な送達を果たす、従来の噴霧器に内蔵され、一体となった新規な薬物投与量の送達装置を提供することである。
【０００９】
本発明の更なる目的は、直に搭載され、急性の呼吸の緊急事態での使用に備えて装填された銃の方式で従来の噴霧器と一体となった、貯蔵された液体薬物の１回投与量を備えた従来の噴霧器を提供することである。
【００１０】
本発明の更なる目的は、特に急性の呼吸の緊急事態に苦しむ人が噴霧器を使用する際に直ちに助けが受けられない場合に、有効量の噴霧薬物を受けるためにその苦しんでいる人に必要とされる時間を減少させることである。
【００１１】
本発明の更なる目的は、利用者による簡易な手動操作によって使用される、貯蔵された投与量の液体薬物を備えた噴霧装置を提供することである。
【００１２】
本発明の更なる目的は、噴霧器内の液体薬物を使用するために必要とされる時間及び労力を減少させることによって、急性呼吸促迫に苦しむ人に速やかに症状を緩和する方法を提供することである。
【００１３】
本発明の更なる目的は、噴霧器内の液体薬物を使用するために必要とされる時間及び労力を減少させることによって、一人で助けのない急性呼吸促迫に苦しむ人に確実で迅速かつ簡易な症状の緩和を提供することである。
【００１４】
本発明に従い、他の目的は、装置の利用者及び当業者にとって自明になる。従って、本発明は、本明細書に列挙された目的に限定されず、本明細書に列挙された目的は、余るところなく示されておらず、単に例として記載される。
【課題を解決するための手段】
【００１５】
これらの目的及び明らかになり得る他の目的に従って、本発明は、投与量の液体薬物を従来の噴霧器の従来の噴霧チャンバに手軽に供給する、新規な一体構造を有する従来の噴霧器に関連する。新規性は、従来の噴霧器の構造と一体の新しい構造部品を提供し、それにより液体投与カプセルが、カプセルオープナを備えたプランジャーのような稼働部材の手動又は自動的な稼働で開放されることにある。
【００１６】
例えば、半自動緊急薬物投与噴霧器は、好ましくは垂直に伸長するハウジングを含み、ハウジングは、投与カプセル内の薬物を収容する噴霧チャンバを有する。ハウジング底部の開口部は、投与カプセル内に収容されてそこから放出される薬物を噴霧するための圧縮空気を受け入れる。噴霧器ハウジング上方の呼吸器は、噴霧薬物を受けるためにハウジングから垂直上方に伸長する接続管を介してハウジングに結合される。呼吸器は、噴霧薬物を受けるために患者によって使用されるマウスピースを有する。噴霧チャンバに薬物を補充する装置は、呼吸器に接して上方に取り付けられる。補充管又は他の構成されたチャンバは、薬物投与カプセルを内部に受ける、接続管と一列に並べられた貯蔵チャンバを含む。好ましくは、貯蔵チャンバは、カプセルの下端を定位置に固定するための嵌め込みを備えた基底支持体を有する。好ましくは、貯蔵チャンバはまた、取り外し可能なキャップを備えた上部開口部を含む。取り外し可能なキャップは、キャップが定位置にある時に、切断ブレードと接触するために中央に配置し、又は他の実施態様において、貯蔵チャンバの側壁に位置する台座に沿うような、好ましい位置にカプセルの上端を固定するように構成される。カプセルは、キャップの下側に取り付けられたばね負荷式の円錐形又は他の形状に構成された部材によって定位置に保持されることができ、キャップが貯蔵チャンバの上部開口部を閉めるじるために位置決めされると、部材の縁部が、薬物カプセルの上端を貯蔵チャンバ内の所要の位置に押す。
【００１７】
薬物投与カプセルは、ねじる又は押しつぶすなどの力によって開けられる。ただし、分断ブレードは、好ましくは重力によって流れる薬物を噴霧チャンバ内に放出するために、カプセルが貯蔵チャンバ内にある状態で、カプセルの側面を介して切り取ることによって薬物投与カプセルを分断する。分断ブレードは、好ましくはホルダの遠位端に取り付けられた切断ブレードであり、手持ち式プランジャーによって手動で動かされるか、又は押しボタンスイッチによって操作可能な電気モータによって駆動される。起動は、プランジャーの作動をもたらす電気的な押しボタンによってなされる。電気モータは、好ましくは低出力速度歯車モータである。
【００１８】
手持ち式プランジャーが使用される時、プランジャーは、固定フィンガ又はハンドレストと、プランジャーの遠位端に取り付けられた可動フィンガ又はハンドレストとを含み、それにより２つのレストを一緒に握ることによりプランジャーがカプセルに向かって前進する。他のプランジャーの実施態様において、プランジャーは、機械的な利点を与えるためにプライヤアセンブリによって駆動される。プライヤアセンブリは、好ましくは、固定回転ブラケット及びプランジャーの遠位端に設けられた可動回転ブラケットのそれぞれに取り付けられた遠位端を有する一対のプライヤ部材と、プランジャーを駆動する際に機械的な利点をもたらすプライヤ部材の近位端におけるプライヤグリップとを含む。薬物カプセルは、水平に向けられたブレード、又は斜めに傾向いたブレード若しくは垂直に向けられたブレードのような他の角度配置のブレードによって分断でき、これは鈍い圧縮ヘッドに取り付けられた交換可能な切断ブレードなどであり、それによりブレードはカプセルを下端で分断し、任意の圧縮ヘッドはカプセルを押しつぶす。選択的に、カプセルが弱められた領域を有する場合、鈍い圧縮ヘッドがカプセルと接触し、圧力がカプセル内で増加した時に、カプセルはブレードを備えない鈍い圧縮ヘッド自体によって破断できる。
【００１９】
本発明は、喘息のような肺の病状に適用できるが、他の病状がカプセルからの急速な配備が必要なミスト薬物によって処置され得ることが予期されることに、更に注目されたい。例えば、噴霧器は、Ｗｏｎｇらの米国特許第５，４５１，５６９号でのインスリンによる糖尿病の治療、米国特許第７，３８８，０７６号でのヒト免疫抑制状態の治療、及びＡｄｄｉｎｇｔｏｎの米国特許第７，３４３，９１５号での心肺蘇生における使用について記載されている。その上、Ｄｅｄｈｉｙａらの米国特許第６，７４７，０５８号は、エアロゾル化噴霧器により医療用マリファナを投薬することを記載している。
【００２０】
好ましい部品は、投与カプセルを上方から内部に垂直に取り付けるためのチャンバであり、カプセルオープナが、カプセルを切断するブレードであるか、又はカプセルオープナが、内容物を噴霧器のミストチャンバに直接放出するために、カプセルを開放するためのねじり力のトルクを与えるねじりオープナである。カプセルを開放するねじり力のほかに、カプセルは、薬物流体をカプセル内に保持し、薬物カプセルの吐出端で狭い開口部を通って自由に流出することを妨げる周囲空気圧に勝るように、圧縮力を受けることもある。
【００２１】
あるいは、プランジャーも、ミストを噴霧する圧縮チャンバの電気部品を自動的に始動できる。
【００２２】
新規な構成部品は、従来の噴霧器ハウジングに搭載された投与量の液体薬物を、装填された銃の方式で貯蔵する貯蔵チャンバを含み、それは、従来の噴霧チャンバに薬物を配備するために必要な薬物カプセルを開放する、簡易な利用者の操作可能なブレードプランジャーのカプセルオープナを備える。新規構造の薬物貯蔵チャンバは、通常は、液体薬物が、利用者によって配備された時に噴霧チャンバに確実かつ直接流れるように、噴霧チャンバのごく近傍に配置された開口した送達端を有する。
【００２３】
好ましい実施態様の新規な薬物貯蔵チャンバは、緊急時に噴霧される投与量の薬物を含む１回使い捨てかつ利用者の交換可能なカートリッジカプセルを受ける。チャンバは、その外端に、利用者が薬物カプセルを開放するためのカプセルオープナを有するプランジャーが与えられる。ブレードは、カプセルが分断されるように、方向が概ね水平であっても良く、ブレード分断接触領域の下のカプセルの分断された底部は、そこから重力により流体が噴霧器ミストチャンバに流れることを可能にするために、通路から離れて落下する。任意で、ブレードは、垂直又は傾いた角度で斜めに向けられる。
【００２４】
例えば、半自動緊急薬物投与噴霧器は、好ましくは投与カプセル内の薬物を含む噴霧チャンバを有する垂直に伸長するハウジングを含む。ハウジング底部の開口部は、投与カプセル内に含まれる薬物を噴霧する圧縮空気を受け入れる。噴霧器ハウジング上方の呼吸器は、噴霧薬物を受けるためにハウジングから垂直上方に伸長する接続管を介してハウジングに結合される。呼吸器は、噴霧薬物を受けるために患者によって使用されるマウスピースを有する。噴霧チャンバに薬物を補充する装置は、呼吸器に接して上方に取り付けられる。補充管は、薬物投与カプセルをその内部に受け入れる、接続管と一列に並べられた貯蔵チャンバを含む。分断ブレードは、重力によって噴霧チャンバに流れる薬物を放出するために、カプセルが貯蔵チャンバ内にある状態で、カプセルの側面を介して切り取ることによって薬物投与カプセルを分断する。
【００２５】
分断ブレードは、好ましくはホルダの遠位端に取り付けられた切断ブレードであり、手持ち式プランジャーによって手動で動かされるか、又は押しボタンスイッチによって操作可能な電気モータによって駆動される。
【００２６】
電気モータは、好ましくは低出力速度歯車モータである。押しボタンの実施態様では、スイッチは、電気モータの作動を開始してホルダを初期位置から切断ブレードが薬物投与カプセルを分断するまで前進させ、薬物が噴霧チャンバに流れることを可能にする。
【００２７】
好ましい実施態様において、分断されるカプセルは、１つ以上の流体開口部を有するカプセルホルダによって保持される。ブレード切断の実施態様において、カプセルの分断後に分断されたカプセルの残部を通路の外に押し出すために、選択的に剛性又は僅かに可撓性のカプセルフォロワが、切断ブレードに付随する。また、フォロワは、すべての液体が確実に噴霧器に流れ出るよう、切断カプセルを分離するために使用される。フォロワは、分断されたカプセル部分を通路から押し出す間での流体の流れを確実にするために十分に小さい。
【００２８】
カプセルが、周囲空気圧が要因でない、適切な幅の部分でブレードによって分断される時、カプセルは、押しつぶされることを必要としないことがある。流体は、押しつぶされることなく、分断されたカプセルを通って自由に流れる。もっとも簡易な緊急での利用者の圧力手段は、流体を放出するために薬物カプセルの迅速な開放を可能にする、プランジャーの片手開口の構成である。
【００２９】
薬物投与カプセルと本発明に供給される従来の噴霧器との新規な組み合わせは、激しい喘息の発作のような呼吸の緊急事態を有し、迅速で信頼できる噴霧薬物投与量を必要とする患者が、特に（１）患者を助ける他の人がおらず、かつ（２）１回投与の手持ち式噴霧器の救急吸入器が医学的に治療に不適切である場合に、いかなる手順に従わねばならないかという問題に取り組み、解決する。
【００３０】
更なる実施態様において、ブレードプランジャーは、小さいモータによって提供される出力によって、薬物カプセルに向かって前進し、切断動作がなされる。押しボタンは利用者によって押されて、モータを始動し、ブレードプランジャーをカプセルに向けて前進させ、そして切断が成し遂げられた後で、モータを即座に反転させてプランジャーを始動位置に向かって戻し、シャットダウンする自動連続動作を開始する。これは、指で及ぼすことができる力を制限する他の病気を患うことがある喘息に悩むたくさんの人々にとって、切断をよりはるかに実現可能にする。
【００３１】
この実施態様の装置は、好ましくは簡易な制御回路を介して６〜１２ボルトの低電圧ＤＣを供給されるＤＣ永久磁石（ＤＣＰＭ）モータを含む。記載される１つの実施は、主ねじを駆動する２つの噛み合った歯車を経由して連結されるモータを使用する。歯車の組は、主ねじを駆動するためのトルクを増加させながら、モータ速度を減少させる。主ねじナットは、直線状ガイド内で導かれる可動ブレードプランジャーに取り付けられる。記載される第２の代替的な実施は、小さい歯車のピニオンが取り付けられた低速出力ＤＣＰＭ歯車モータを使用する。ピニオンは、直線状ガイドによって導かれる可動ブレードプランジャーと一体の直線状歯車ラックと係合する。いずれの場合にも、両側の運動限界におけるリミットスイッチ要素が、制御回路と連結して使用される。これらのリミットスイッチは、スナップ作用スイッチ又は磁気リード接点と同様に簡単であり、又は光学若しくはホール効果センサーとして実装できる。制御回路が定義されると、選択が適切になされる。これは、記載されるリレー論理と同じくらいに簡易であり、又は更に複雑なソリッドステートの若しくはプロセッサ駆動の回路が実装できる。
【００３２】
他の実施態様は、カプセルから噴霧器薬物を迅速に取り出す更に他の手動方法に関係する。大きい垂直な貯蔵チャンバが、これらの実施態様に使用される。チャンバ内の凹型支持台領域は、薬物取り出し中に薬物カプセルをその側面に沿って支持するのに役立つ。貯蔵チャンバキャップに取り付けられたばね負荷式の円錐形部材は、適切な位置決めを確実に行うために、薬物カプセルを支持台の窪みに導く。
【００３３】
一実施態様において、（遠位端に）垂直に向けられたブレードが取り付けられた直に作動されるプランジャーは、垂直な貯蔵チャンバ内の底端近くで薬物カプセルを突き刺すために使用される。
【００３４】
もう１つの実施態様において、（チャンバに挿入される時に）下端で意図的に弱くした領域を有する改良された薬物カプセルが使用される。ブレードの代わりに、鈍い圧縮ヘッドが、プランジャーの遠位端に設けられる。薬物カプセルに押し付けられると、内部ガス圧の増加により弱くした領域が破断し、薬物を即座に貯蔵チャンバ内に噴出する。また、この実施態様は、プランジャー端に及ぼされる力を増大させる機械的な利点のある装置としてプライヤグリップを使用する。（この方法は、上記の垂直な又は斜めに向けられたブレードを備える実施態様に関しても使用可能であることに注目されたい。）
【００３５】
本発明は、添付図面に関連して最も良く理解できる。本発明は、図面中に示した明確な実施態様に限定されないことが注記される。
【図面の簡単な説明】
【００３６】
【図１】薬物を噴霧チャンバに注ぐことを説明するために分解された、先行技術の噴霧器の分解図を示す。
【図２】マウスピースを介して呼吸することにより従来の先行技術の噴霧器を操作する利用者を示す。
【図３】噴霧器のハウジングから外側に伸長する新規な内蔵型薬物貯蔵チャンバを備えた従来の噴霧器を有する一実施態様の斜視図を示す。
【図４】図３に示す薬物貯蔵チャンバ内に嵌め込み可能なように、先細のショルダを備えた内端を有する薬物投与カートリッジを示す。薬物カートリッジは、カートリッジ内に含まれる液体薬物をその内端を介して噴霧チャンバへ排出することを目的として、力を受ける手段を有する外端を有する。
【図５】図３及び図４の実施態様の詳細を示し、噴霧器ハウジングの壁を通って噴霧チャンバから外側に伸長する薬物貯蔵チャンバを備え、薬物投与カートリッジをその内部に有し、薬物カートリッジのシールを破るために利用者が力を加えるためのピストンを有する。薬物貯蔵チャンバの噴射ノズルを、ハウジング内の噴霧チャンバのごく近傍に示す。
【図６】液体薬物カプセルの垂直な貯蔵スリーブを有する第２の実施態様の分解図を示す。カプセルは、従来の噴霧器のハウジング内で、従来の噴霧チャンバのごく近傍に、その切り取りタブによって設置される。
【図７】図６のねじり開放の実施態様の切断図である詳細断面図を示す。
【図８】液体薬物カプセルのための垂直な貯蔵スリーブを有する、好ましい実施態様の第３の実施態様の分解図を示す。カプセルは、従来の噴霧器のハウジング内で、従来の噴霧チャンバのごく近傍に、その切り取りタブによって設置される。
【図９】カプセルをねじるレバーを示す、液体薬物カプセルのための垂直な貯蔵スリーブを有する図８の第３の実施態様の頂部分解図を示す。カプセルのねじりにより切り取り部分及び流体容器部分の間でカプセルが破れて破断されるように、カプセルの切り取り部分が設置及び固定される。
【図１０】カプセルの回転を示す、図８及び図９における第３の実施態様を切断した拡大詳細断面図であり、切り取り部分が定位置に固定して設置される。
【図１１】拘束停止手段及びミスト収容ポートを示す、図８、図９及び図１０のスリーブの拡大詳細底面図である。
【図１２】カプセルから薬物を排出するためのノブカム稼働アセンブリについての代替的な第４の実施態様の分解図である。
【図１３】図１２に示すノブカム稼働アセンブリの底面図である。
【図１４】それのノブアクチベータの平面図である。
【図１５】図１４のようなノブアクチベータの底面図である。
【図１６】図１２に示すカムアセンブリの底面図である。
【図１７】薬物カプセルを切り取り及び切り開くための、伸長位置にあるブレードプランジャーを備えた平面なブレードプランジャーガイドを示す本発明の噴霧器の代替的な第５の実施態様の斜視図である。
【図１８】図１７のようなブレードプランジャーアセンブリの平面図である。
【図１９】切断操作前の垂直な貯蔵チャンバ内の薬物投与カプセルを示す、その断面側面図の詳細である。
【図２０】分断される薬物投与カプセルに近づく切断ブレードの平面断面詳細図である。
【図２１】切断操作開始時に、薬物投与カプセルと接触する切断ブレードを示す、その側面断面図の詳細である。
【図２２】薬物が、プランジャー流出開口部を通って下部区域に流れる、切断された直後の垂直な貯蔵チャンバ内の薬物投与カプセルの側面断面図の詳細である。
【図２３】コンプレッサハウジングと共に噴霧器アセンブリを含む、本発明の第５の実施態様の全体的な噴霧器システムの斜視図である。
【図２４】ブレードプランジャーアセンブリに関する第６の実施態様の斜視図である。
【図２４Ａ】図２４の破線の円「２４Ａ」に見られるような、舌片及び溝の位置決めサブアセンブリを示す拡大側面断面図である。
【図２４Ｂ】ブレードプランジャーアセンブリに関する位置決めサブアセンブリのもう１つの実施態様の拡大側面断面詳細図である。
【図２４Ｃ】そのプランジャー部分の拡大正面図である。
【図２４Ｄ】図２４Ｂの位置決めサブアセンブリのプランジャーガイドの平面図である。
【図２５】図２４のアセンブリでの切断ブレード後方のフォロワパドルの拡大斜視詳細図である。
【図２５Ａ】ブレードプランジャーの代替的な実施態様の平面図である。
【図２５Ｂ】その側面図である。
【図２５Ｃ】図２５Ａのブレードプランジャーに関するブレードプランジャーガイドの底部の断面図である。
【図２６】薬物投与カプセルを切断する際の右から左への切断ブレードの前進、及び噴霧チャンバに向かっての下方への薬物の放出を示す３つの側面断面詳細図のシーケンスである。
【図２６Ａ】カプセル支持領域の拡大平面図である。
【図２７】薬物投与カプセルを切断する際の右から左への切断ブレードの前進、及び噴霧チャンバに向かっての下方への薬物の放出を示す３つの側面断面詳細図のシーケンスである。
【図２８】薬物投与カプセルを切断する際の右から左への切断ブレードの前進、及び噴霧チャンバに向かっての下方への薬物の放出を示す３つの側面断面詳細図のシーケンスである。
【図２９】改良された薬物カプセル保持機構を備えた噴霧器の第７の実施態様の斜視分解図である。
【図３０】貯蔵チャンバキャップ内のコイルばね押さえ付け要素の斜視分解図である。
【図３１】薬物カプセルに近づく切断ブレードを示す、薬剤カプセル基底ホルダの斜視詳細図である。角度及び矢印線は、ブレード切断角度方向を示す。
【図３２】切断前の薬剤カプセルチャンバの側面断面図である。
【図３３】薬剤が下方に流れることを示す、切断直後の薬剤カプセルチャンバの部分側面断面図である。
【図３４】カプセル開放プランジャーの始動が噴霧器ポンプ回路も起動させる、全起動噴霧器システムを示す。
【図３５】カプセル開放プランジャーの始動が噴霧器ポンプ回路も起動させる、全起動噴霧器システムを示す。
【図３６】カプセル開放プランジャーの始動が噴霧器ポンプ回路も起動させる、全起動噴霧器システムを示す。
【図３７】カプセル開放プランジャーの始動が噴霧器ポンプ回路も起動させる、全起動噴霧器システムを示す。
【図３８】図１７の噴霧吸入器の噴霧コンプレッサを自動的に始動するための、一体型スタータボックスでない、プラグ接続式の補助装置を示す。
【図３９】その配線図である。
【図４０】ハウジングが断面で示される、主ねじ型動力ブレードプランジャーの側面図である。
【図４１】図４０の実施態様の運動要素の平面図である。
【図４２】断面で示さたハウジングと共に示されるラック及びピニオン型動力ブレードプランジャーの側面図である。
【図４３】図４２の実施態様の運動部品の底面図である。
【図４４】３つのリレー及び他の部品を使用するいずれかの型の動力ブレード実装のための制御回路の配線図である。
【図４５】直接作動する手動プランジャーを有する噴霧器の垂直な貯蔵チャンバアセンブリの斜視図である。
【図４６】窪み台及び下部の薬物カプセル支持拡張部を示す、垂直な貯蔵チャンバ内部の平面図である。
【図４７】ばね負荷式の円錐形部材を有する垂直な貯蔵チャンバのキャップの部分断面における側面図である。
【図４８】カプセル圧縮ヘッド上の直接作動される垂直な切断ブレードを備える、部分断面での、実施態様の垂直な貯蔵チャンバアセンブリの側面図である。
【図４８Ａ】カプセル圧縮ヘッド上に配置された斜めに向けられた切断ブレードに関する代替的な実施態様の拡大詳細図である。
【図４８Ｂ】カプセル圧縮ヘッド上に配置された逆Ｖ字型切断ブレードに関する代替的な実施態様の拡大詳細図である。
【図４９】圧縮ヘッド及び機械的な利点のためのプライヤグリップを有する、部分断面で示された、実施態様の垂直な貯蔵チャンバアセンブリの代替的な実施態様の側面図である。
【図５０】通常での下端に、弱くした領域を有する薬物カプセルの正面図である。
【図５１】図５０のような薬物カプセルの正面図であるが、異なる形状の弱くした領域を反対端に有する。
【発明を実施するための形態】
【００３７】
本発明の目的に沿って、本発明は、緊急事態に備えて液体薬物の投与量を貯蔵する内蔵型（従って一体型）の新規な貯蔵構造を有する従来の噴霧器を提供する。液体薬物は、従来の噴霧器の従来の噴霧チャンバに手軽に供給される。
【００３８】
従来の噴霧器は、液体薬物をエアロゾル化し、エアロゾルを利用者による吸入に供給するために使用される。両者は、喘息のような肺の病状を治療するために一般的に使用されるが、従来の噴霧器は、手持ち式エアロゾル化装置が一般的に薬物の複数回の投与量を含み、その内部に取り外せないように装填された高圧ガスを有し、かつ１回のエアロゾル化された処方量が、患者の使用での意図された薬物の投与量を含む使用に適用されることにおいて、手持ち式吸入スプレーと異なる。
【００３９】
薬物が利用者の肺に実際に確実に到達するように、利用者の吸気と一致する手持ち式薬物吸入器からの投薬発射の時間の長さを正確に調節することが重要である。手持ち式吸入器からの投薬発射の時間の長さを誤って定めると、薬物投与量の不足又は全く投与されないという結果をもたらし得る。
【００４０】
従来の噴霧器は、対照的に貯蔵された薬物を全く有さない。それは、噴霧チャンバと、空気ポンプと、吸入器とから構成される。通常、電動である空気ポンプは、導管を介して噴霧器ハウジングに圧縮空気の流れを供給する。ハウジングは、一般的に円筒形であり、利用者によって分離できる頂部及び底部を有し、頂部は、吸入器で終わる上方に突出した伸長部を有する。吸入器は、一般的に水平に配置された管であり、開放の遠位端及びマウスピースである開放端の近位端を有する。
【００４１】
従来の噴霧器のハウジングは、噴霧チャンバを含む。チャンバは、投与量の液体薬物を受けるために開放された頂部を有する概ね垂直な円筒である。チャンバは、底部に空気流の吸入口を有する。空気ポンプからの圧縮空気は、導管を介してチャンバ底部の空気吸入口に運搬される。圧縮空気は、噴霧チャンバの底部に入り、次に投与量の液体薬物と混合され、薬物が霧状にされてエアロゾルになる。噴霧器チャンバと、水平管とＴ字接続する上方に伸長する短い管との間には開放されている空気流があり、水平管は、一端に呼吸器マウスピースを備えた吸入パイプを含む。吸入パイプの一方の開放端は遠位端からなり、遠位端は、利用者の口に合うように成形されたマウスピースを含む近位端の反対側である。
【００４２】
吸入パイプは、噴霧器チャンバとの開放されている空気流中にある。利用者が、マウスピースの近位の開放端を介して吸入する時、空気は、マウスピースの開放した遠位端、そして近位端に推進される。また、利用者の吸入努力が、噴霧薬物を含む噴霧器チャンバからの空気が接続管を上り、マウスピースの近位端に入ることを推進する。
【００４３】
利用者は、このようにして噴霧された液体薬物を吸入し、そして利用者は、喘息発作のような利用者を急性促迫に陥らせる呼吸器症状の軽減を得るのに十分な時間にわたって、必要に応じて繰り返される吸入によりそれを行うことができる。
【００４４】
このように、従来の噴霧器と手持ち式吸入器との間での重要な相違は、手持ち式装置は、急性呼吸促迫の発現全体を治療することを目的とする１回の投与量の薬物を送達することを目的としているということである。利用者は、呼吸の吸気と一致するように手持ち式噴霧器の投薬発射の時間の長さを調節しなければならない。さもなければ、装置の効果を無くし、薬物発射は無駄になる。対照的に、従来の噴霧器は、急性の呼吸に苦しむ人に、十分な噴霧薬物を肺に受け入れるために必要に応じて何回でも吸気する能力を提供し、急性呼吸促迫を軽減する。このように従来の噴霧器は、手持ち式吸入器と比較して異なる役目を果たす。
【００４５】
更に比較すると、手持ち式吸入器は、通常多量の薬物を含み、一方で従来の噴霧器は、薬物を全く含まない。
【００４６】
本発明によって解決される重大な問題は、従来の噴霧器では繰り返し薬物吸入を利用できるために、従来の噴霧器によって送達される薬物は手持ち式吸入器によって送達される薬物よりも有効的であり得るが、重大な短所が残るということである。それが、この発明の進歩性によって対処される。
【００４７】
従来の噴霧器を使用するために、利用者又は利用者を助ける人は、（１）噴霧チャンバを露出させるように、噴霧器ハウジングをその頂部を外すことで分解し、（２）別個に貯蔵された噴霧する液体薬物の容器を見つけ、（３）こぼさないように注意して液体薬物容器を開放し、（４）噴霧器チャンバの外側にこぼすことで少しの液体薬物も失うことなく、液体薬物を直接噴霧チャンバに注ぎ、（５）噴霧器ハウジングを再度組み立て、（６）噴霧薬物を吸入するために吸入器マウスピースを口内に位置決めすることが必要である。
【００４８】
噴霧器の使用は、人がすでに急性呼吸促迫となるまで求められないという点において、問題が生じる。その他の点では、噴霧器の過度の使用、過剰投薬、薬物副作用及び代わりの肺治療方法の探求の問題は全て、患者の懸念となる。したがって、従来の噴霧器の使用は、利用者が急性肺症状に直面し、急性促迫にあり、そして緊急事態に直面しているということを意味する。
【００４９】
急性呼吸促迫に苦しむ人は、恐れ、驚き、又は完全なパニックに決まって陥りがちである。恐れ、驚き及びパニックは、眼−手の協調作業において、あるレベルの技能を必要とする作業に関する能力を劣化させることが良く知られている。従来の噴霧器を使おうとする時、その場合に利用者は、投与量の液体薬物を保持する別個の容器を見つけ、噴霧器を開放し、薬物容器を開放し、液体を噴霧器チャンバに注ぎ、そして噴霧器ハウジングを再度組み立てることが必要とされる。前記の一連のステップは、恐れ、驚き又はパニックに陥った急性呼吸促迫に苦しむ人にとって困難であるか、不可能であり得る。考慮すべき重要な事項は、従来の噴霧器の急な必要性に直面した人が一人でおり、助けてくれる人がいないような場合がほぼ間違いなくあるということである。従来の噴霧器が利用できるかもしれないが、利用者にとって操作が不可能であり得るのは、まさにこれらの場合である。
【００５０】
利用者が緊急時に従来の噴霧器を操作できない問題を解決するために、本発明は、簡潔な解決策を示す。すなわち、内蔵型の貯蔵された投与量の液体薬物を有する従来の噴霧器を構成し、ねじキャップの簡単なねじりか利用者の力での１回の直線動作によって、その液体投与量を噴霧器チャンバに注入可能にする。本発明でもたらされるように、利用者は、従来の噴霧器のハウジングを分解又は再度組み立てることを必要とせず、液体薬物の個別に貯蔵された容器を見つけることを必要とせず、個別の薬物容器を開放することを必要とせず、かつ液体薬物を噴霧器チャンバに注ぐことを必要としない。
【００５１】
本発明によれば、従来の噴霧器は、従来の噴霧器ハウジングに搭載された投与量の液体薬物を、装填された銃の方式で貯蔵するための、好ましくは円筒形の貯蔵チャンバをそのハウジングに追加する。
【００５２】
本発明の一実施態様において、薬物カプセルの新規な貯蔵チャンバは、好ましくは開いた頂部の開口部を有する実質的に円筒形のスリーブであり、吸入パイプから従来の噴霧器のハウジング内の従来の噴霧器チャンバの僅かに上方の地点まで、垂直下方に突出する。スリーブの直径は、噴霧器チャンバから、噴霧器の従来のネックに上がり、噴霧器の従来の吸入パイプへ入る従来の噴霧器の自由な空気流と干渉しないようにして、十分に小さい。薬物カプセル貯蔵スリーブは、噴霧器チャンバと吸入パイプとの間の通気路の一部を占めるに過ぎず、したがって貯蔵スリーブは、他の点では従来の噴霧器であるものの内部において、従来の自由な空気流を塞ぐことや妨げることが全くない。
【００５３】
本発明の一実施態様において、新規な薬物貯蔵チャンバはまた、スリーブ状である。しかしながら、好ましい実施態様のスリーブのように垂直に伸長することに代え、好ましい実施態様の他の貯蔵チャンバは、概して従来の噴霧器ハウジングの壁を通って噴霧チャンバの近傍の内部の送達端から外側に突出し、外部の利用者の利用端に伸長する。
【００５４】
好ましい実施態様の他においては、新規構造の薬物貯蔵チャンバは、概して液体薬物が利用者によって配備された時に噴霧チャンバに確実かつ直接注入されるように、噴霧チャンバのごく近傍に配置された先細ノズルの開口した送達端を有する。
【００５５】
本発明において、新規な薬物貯蔵チャンバは、緊急時に噴霧される投与量の液体薬物を含む１回使い捨てで利用者が交換可能なカプセルを受け入れる。チャンバは、薬物カートリッジに対して力を及ぼすか又は切るように、利用者が薬物チャンバの外端に物理的な力の直線動作を及ぼすための圧力手段が外端に与えられる。カプセルは、薬物貯蔵チャンバの内部に合う適した大きさの端部を備えた、概ね円筒形である。一実施態様において、薬物カプセルの外端は、手動操作されるピストンからの力を受けることができる。
【００５６】
薬物投与カプセルは、ねじり又は破断圧力を手動で加えると破断できるシールを有し、シールは、カプセルの内端に設けられ、薬物貯蔵チャンバの内端又はその付近に配置される。好ましい緊急の利用者の圧力手段はピストン構成であり、ピストンは、薬物カプセルと一体であり、弾性的に密閉されてピストンロッドからの押す力を受け入れる。これの容易に認識できる例は、医療用注射器である。
【００５７】
別の実施態様において、回転可能なノブカム稼働アセンブリ内への薬物カプセルの挿入は、医療用容器カプセルの密封の破断を容易にする。
【００５８】
好ましい実施態様において、薬物カプセルは、プランジャーによって稼働される摺動切断ブレードによって開放される。
【００５９】
好ましい実施態様において、カッターアセンブリは、手動操作又は自動的に作動するプランジャーによって稼働されるとカプセルを突き刺す、水平、垂直又は斜めに向けらたような角度で配置されたブレードと共に使用される。
【００６０】
したがって、本発明の新規な組み合わせは、激しい喘息の発作のような呼吸の緊急事態を有し、迅速な信頼できる噴霧薬物投与量を必要とする患者が、特に（１）患者を助ける他の人がおらず、かつ（２）１回投与の手持ち式噴霧器の救急吸入器が医学的に治療に不適切である場合に、いかなる手順に従わねばならないかという問題に取り組み、解決する。
【００６１】
図１は、分解して示す、先行技術の従来の噴霧器ハウジング１０の分解図である。図示の従来の薬物容器１４は、従来の噴霧チャンバ１５に液体薬物を加えている。呼吸の緊急事態では、利用者は、近位端３０に対向する開放遠位端３１を有する従来の呼吸器２５の一部である近位端の従来のマウスピース３０を介して噴霧薬物を吸入することが可能になる前に、別個の液体薬物容器１４を見つけ、それを開放し、噴霧器ハウジング１０の部分を（図示するように）分解し、液体薬物をその別個の容器１４から噴霧器チャンバ１５に注ぎ、噴霧器ハウジング１０を再度組み立てなければならない。
【００６２】
利用者が、噴霧器チャンバ１５に薬物を注いでハウジング１０を再度組み立てると、従来の空気供給管２０は、圧縮空気の流れを噴霧器チャンバ１５に供給し、液体薬物が噴霧状になり、近位端のマウスピース３０を介して利用者の吸入のために利用できるように、噴霧薬物を接続管１１を介して上方に推進する。
【００６３】
図２は、使用中である先行技術の従来の噴霧器の斜視図を示す。利用者は、呼吸器２５の近位のマウスピース端３０を口に挿入して吸入する。噴霧器ハウジング１０（図では利用者の手に隠れている）は、急性の呼吸の緊急事態の軽減のために利用者が必要とする多くの繰り返し吸入に対して、利用者に噴霧（エアロゾル化）薬物を供給する。空気供給管２０は、上方に伸長して示されるが、利用者の手で、空気供給管２０の噴霧器チャンバ１０の底部との交差が隠れている。
【００６４】
本発明の一実施態様において、新規な薬物貯蔵チャンバは、一般的に噴霧チャンバ近傍の内部の送達端から従来の噴霧器ハウジングの壁を通って外側に突出し、外部の利用者の利用端に伸長する。
【００６５】
図３は、新規な一体型（すなわち内蔵型）の薬物貯蔵チャンバ３５が取り付けられた従来の噴霧器ハウジング１０を備えた、本発明の第１の実施態様を示す。貯蔵チャンバ３５は、取り外し可能な薬物投与カートリッジ４０を受け入れることが可能である。チャンバ３５及び適合するカートリッジ４０の両方は、細長く、好ましくは円筒形であり、かつ合わせられる内端及び対向する外端を有する。貯蔵チャンバ３５の内端３６は、噴霧器ハウジング１０内に配置され、他方でチャンバ３５の外端３７は、噴霧器ハウジング１０の外側にある。チャンバ３５は、その内端３６を噴霧チャンバ１５のごく近傍に配置する位置で固定される。チャンバ３５の好ましくは円筒形の本体は、薬物貯蔵チャンバ３５の外端３７が噴霧器ハウジング１０の外側にあり、かつそれから離れるようにして、噴霧チャンバ１５から径方向外側を向く。
【００６６】
薬物貯蔵チャンバ３５には、その内端３６に開放端の先細ノズル３８が与えられる。ノズル３８は、噴霧チャンバ１５のごく近傍にあって、前記貯蔵チャンバの外端３７において薬物貯蔵チャンバ３５内に配置された溝付きピストンロッド５０の圧力板５６に利用者が１回の内側に向けられた加圧動作を加えると、カートリッジ４０から投与量の液体薬物を確実に注入する。
【００６７】
薬物カートリッジ４０は、開放端４５に向かって先細になる先細の内端４２が与えられる。圧力シール４３は、カートリッジ４０の内端４２に設置され、他方で弾性的に密閉されたピストン４４は、カートリッジ４４の外端に置かれる。利用者が、ピストンロッド５０の外端の圧力板５６に１回の内側への圧力動作を加えると（利用者は便宜上、指係合翼状部５２を把持する）、接触が溝付きピストンロッド５０とピストン４４との間でなされ、シール４３に対する水圧増加をもたらす。カートリッジ４０の先細のショルダ４７は、薬物貯蔵チャンバ３５の先細ノズル３８に接触して係合し、利用者が溝付きピストンロッド５０の圧力板５６に手動の圧力を加えると、カートリッジ４０が、チャンバ３５内にしっかりと設置されるようになる。
【００６８】
シール４３は、溝付きピストンロッド５０の圧力板５６に利用者の力を加えると破れるように作られる。シール４３が破れると、溝付きピストンロッド５０からの圧力は、カートリッジ４０から噴霧チャンバ１５への液体薬物の注入をもたらす。残りの噴霧操作は、従来通りである。
【００６９】
図４は、本発明の第１の実施態様を、内端４２に配置された圧力シール４３を有する取り外し可能な薬物投与カートリッジ４０の詳細に関して示す。開放端４５は、カートリッジ４０の内端４２で先細のショルダ４７からなり、外端４１は、可動の弾性的に密閉されたピストン４４を含む。ピストン４４は、溝付きピストンロッド５０からの圧力を受ける。それに応じて、ピストン４４は内側方向に動き、カートリッジ４０の本体内に含まれる液体薬物に水圧を加える。その次に水圧により、カートリッジ４０の内端でシール４３が破ける。シール４３が破れると、液体薬物は、ピストンの圧力で噴霧チャンバ１５に注入される。図５は、本発明の第１の実施態様を、噴霧器ハウジング１０と交差する薬物貯蔵チャンバ３５の切断側面図の詳細に関して示す。カートリッジ４０の開放内端４３からの液体薬物をチャンバ１５に確実に注入するために、噴霧チャンバ１５のごく近傍にチャンバ３５の内端３６を有し、溝付きピストンロッド５０の圧力板５６に１回の内側への使用者の圧力動作を加えると、力がカートリッジ４０のピストン４４に伝達される。止め具５５は、ピストンロッド５０の溝と係合し、ピストンロッド５０が薬物貯蔵チャンバ３５から抜けるのを防ぐ。
【００７０】
図６及び図７に示される第２の代替的な実施態様で示すように、新規な薬物貯蔵スリーブ６２は垂直下方に突出し、吸入パイプ７０の頂部から噴霧器ハウジング１０内へ下方に伸長して噴霧チャンバ１５のすぐ上の地点に至る。薬物投与カプセル６６は、スリーブ６２内部で垂直向きにされた細長い実質的に円筒形の容器である。
【００７１】
カプセル６６は、利用者がスリーブ６２への挿入及びスリーブ６２からの取り外しのそれぞれを行う。カプセル６６は、使用までスリーブ６６内に貯蔵されることが意図され、そして噴霧器の次回の使用の準備で取り外され、交換される。
【００７２】
カプセル６６は、下端に切り取りタブ６４を有する。スリーブ６２は、トルクがカプセル６６に加えられた時にタブ６４が回転することを防ぐために、切り取りタブ６４を係合させる下端の停止手段６２ｃを有する。停止手段６２ａは、中空スリーブ６２内にブラケット６２ｂのような保持手段によって付けられ、中空スリーブ６２のスロット６２ａ及び６２ｂの両方を通り、そして開口部６２ｄを通る液体薬物の流れを可能にする。
【００７３】
スリーブ６２は、利用者がカプセル６６をスリーブ６２に挿入した後、ねじキャップの稼働ハンドル６８を受ける。ねじキャップ６８は、利用者がトルク力をねじキャップ６８に加えた時にカプセル６６をスリーブ６２内でねじるように、カプセル６６の突出手段と係合する。カプセル６６の下端切り取りタブ６４は、スリーブ６６内で停止手段６２ａによってねじりが妨げられるので、カプセル６６は、利用者がキャップ６８をねじった時に、下端で剪断されて破れることになる。
【００７４】
カプセル６６は、切り取りタブ６４のねじ切りによって開放された後、缶切断装置又は当業者に既知の他の圧砕装置のような、カプセル絞り器により絞り出し圧縮を受ける。カプセル６６内の液体薬物は、カプセル６６の下端が破れると、重力によって噴霧チャンバ１５に流れる。液体薬物は、そして従来通りに噴霧状にされ、利用者は、従来の方法で噴霧器の治療効果を得る。
【００７５】
図６は、新規な薬物貯蔵スリーブ６２についての第２の実施態様の分解図を示す。薬物貯蔵スリーブ６２は、垂直下方に突出し、吸入パイプ７０の頂部から噴霧器ハウジング１０内へ下方に伸長して噴霧チャンバ１５のすぐ上の地点に至る。薬物投与カプセル６６は、スリーブ６２内部で垂直に向けられた細長い実質的に円筒形の容器である。
【００７６】
カプセル６６は、利用者がスリーブ６２への挿入及びスリーブ６２からの取り外しのそれぞれを行う。カプセル６６は、使用までスリーブ６６内に貯蔵されることが意図され、そして噴霧器の次回の使用の準備で取り外され、交換される。
【００７７】
カプセル６６は、下端切り取りタブ６４を有する。スリーブ６６は、トルクがカプセル６６に加えられた時にタブ６４が回転することを防ぐために、切り取りタブ６４を係合させる下端の停止手段を有する。スリーブ６２は、利用者がカプセル６６をスリーブ６２に挿入した後、ねじキャップの稼働ハンドル６８を受ける。ねじキャップ６８は、利用者がトルク力をねじキャップ６８に加えた時にカプセル６６をスリーブ６２内でねじるように、カプセル６６の突出手段と係合する。カプセル６６の下端切り取りタブ６４は、スリーブ６６内で停止手段によってねじりが妨げられるので、カプセル６６は、利用者がキャップ６８をねじった時に、下端で剪断されて破れることになる。カプセル６６内の液体薬物は、カプセル６６の下端が破れると、重力によって噴霧チャンバ１５に流れる。液体薬物は、そして従来通りに噴霧状にされ、利用者は、従来の方法で噴霧器の治療効果を得る。
【００７８】
図７は、本発明の第２の実施態様の詳細な透視図を示す。利用者は、ねじキャップ６８にトルクを加え、ねじキャップ６８はその次に、貯蔵スリーブ６２内に設置された薬物カプセル６６にトルクを加える。停止手段６２ｃは切り取りタブ６４と係合することで、加えられたトルクがカプセル６６の破れを引き起こし、その中身が重力によって従来の噴霧器チャンバ１５に流れることを可能にする。
【００７９】
図８は、液体薬物のカプセル６６用の垂直な貯蔵スリーブ６２を有する第３の実施態様を示す。カプセル６６は、その切り取りタブ６４が、従来の噴霧器のハウジング内での従来の噴霧チャンバのごく近傍に設置される。図９、図１０及び図１１は、液体薬物のカプセル６６のための第３の実施態様の垂直な貯蔵スリーブ６２を示す。レバーアーム６９ａを作動させるレバー６９が示され、レバーアーム６９ａは、カプセル６６に接するレバーアームパドル６９ｂに対して圧力を及ぼし、それによりカプセル６６を側方に動かす。一方で、カプセルの切り取り部分６４が停止手段６２ｃ内に設置及び固定されており、それによりカプセル６６を側方に押すことが、切り取り部分６４でのカプセル６６の破れ、及び停止手段６２ｃに隣接したスロット６２ａ及び６２ｂ、開口部６２ｄを通り、噴霧器の流体チャンバ部分１５へ入る流体の流れを引き起こす。
【００８０】
図１２〜図１６は、カプセル６６から切り取りタブ６４を破るためのノブカムアセンブリに関する第４の代替的な実施態様を示す。図１２に示すように、カプセル６６は、ノブアクチベータ１６８内のポートを通ってカプセルつまみブレード１８０ａ及び１８０ｂの間に挿入され、１つ以上の噴霧ポート１６２ａ及び／又は１６２ｂ等に隣接する拘束停止手段１６２ｃまで下ろされる。カプセル６６及び切り取りタブ６８の間の密封が破れると、薬物は噴霧器１４内から上に向って吸入パイプ７０及びマウスピース３０に噴霧される。ポート１６２ａ及び／又は１６２ｂ、並びに拘束停止手段１６２ｃは、噴霧器１４及び吸入パイプ７０の間での、吸入パイプ７０の下流にある。
【００８１】
ノブアクチベータ１６８の回転は、カプセルつまみブレード１８０ａ及び１８０ｂの間で、それ故にノブアクチベータ１６８の回転と一致して回転するカムアセンブリ１９０のカム接触突出要素１９２ａ及び１９２ｂに対して、カプセル６６のねじれを引き起こし、一方で拘束停止手段は、カムアセンブリ１９０内のカプセル６６の回転中にカプセル６６の切り取りタブ６４を保持する。
【００８２】
ノブアクチベータ１６８及びカムアセンブリ１９０の回転は、カムアセンブリ１９０の隣接する底面上の往復停止要素１９４ｂで停止する吸入パイプ７０上の往復停止要素１９４ａによって、例えば１８０度のような、運動の好ましい円弧に制限される。
【００８３】
図１７〜図４８Ｂは、周囲空気圧が要因でないように、薬物カプセルがブレードによって適切な幅の部分で切断され、そのため図１３〜図１６に示すような、カプセルの狭い吐出端を通る流体の流れを確実にするためにカプセルが開放及び破断される必要がない、代替的な実施態様を示す。
【００８４】
図１７は、薬物カプセル３００が、切断ブレード２７０によって分断されることによって開放される、本発明の噴霧器アセンブリ２００の第５の実施態様の主たる部品を示す。噴霧器アセンブリ２００は、垂直な貯蔵チャンバ２１０を有し、垂直な貯蔵チャンバ２１０は、中空の平坦なブレードプランジャーガイド２５０内で平坦なブレードプランジャー２６５を推進する、ブレードアセンブリ２６０のフィンガグリップ２８０を押すことによって使用できる位置に、薬物投与カプセル３００を含む。洗浄用の排出水抜き穴２９２は、取り外し可能なキャップ２９５によって覆われる。
【００８５】
鋭角な刃先を有する切断ブレード２７０を、図１８のブレードアセンブリ２６０の平面図に示す。切断された後にカプセル３００から流出する薬物の流れを遮らない領域を与えるプランジャー流出開口部２７５に注目されたい。固定フィンガグリップ２５５は、切断運動を行うために、片手の親指及び指を使用する圧縮動作のための便利な表面を提供する。カプセル３００が次回の喘息発症のための準備貯蔵でチャンバ２１０内に挿入された後、キャップ２９０が、チャンバ２１０頂部の大きな開口部２１０ａを密閉するために使用されることに注目されたい。キャップ２９０は、カプセル３００が切り取り及び切断された後に飛び出ないようにする。切断後に、薬剤が従来の噴霧チャンバ２４０へ流れ落ち、そこで底部から送り込まれる圧縮空気の作用によって微細な小滴に砕かれることに注目されたい。マウスピース２３０を有する吸入管２００で、噴霧器２００の主要な部分は完結する。
【００８６】
図１９〜図２２は、その下方にネックのある遠位端３００ａでの、薬物投与カプセル３００の切断操作の進行の断面詳細図である。図１９で、ブレード２７０は、カプセル３００から離れている。これが通常の貯蔵位置である。図２０は、切断するカプセル３００の側面に近づくブレード２７０を示す。図２１では、ブレード２７０は、カプセル３００の側面との初期の接触状態にある。
【００８７】
図２２は、薬物がプランジャー流出開口部２７５を通って切断端３００ａから流出する、カプセル３００が切断された直後の状況を示す。
【００８８】
図２３は、圧縮空気管３３０を経由して噴霧器２４０に接続された空気コンプレッサハウジング３１０を含む、噴霧器システム全体を示す。図２４に示すブレードアセンブリ５６０を摺動自在に挿入する中空プランジャーガイド５５０に取り付けられた固定フィンガグリップ５５５もまた、示される。固定フィンガグリップ５５５は、切断運動を行うための指及び手を使用しての圧縮動作について便利な表面を提供する。
【００８９】
図２４〜図２８は、本発明の第６の代替的な実施態様である噴霧器アセンブリ５００の主たる部品を示す。薬物カプセル６００は、切断ブレード５７０によって分断されることによって開けられる（図２４参照）。図２６〜図２８に示されるように、噴霧器アセンブリは、垂直な貯蔵チャンバ５１０を有し、貯蔵チャンバ５１０は、薬物投与カプセル６００を含む。薬物投与カプセル６００は、図２３に示される平坦なブレードプランジャーガイド５５０の中空のポケット５５１内で平坦なブレードプランジャー５６５を推進する、ブレードアセンブリ５６０のハンドグリップ５８０を押すことによって使用できる準備の状態にある。
【００９０】
図２４において、鋭角の刃先（おおよそ２５〜６５度、好ましくは４５度）を有する切断ブレード５７０を、ブレードアセンブリ５６０の斜視図に示す。図２４はまた、隣接した流体開口部５７３での剛性の又は僅かに可撓性のフォロワパドル５７２を示す。フォロワパドル５７２は、図２８に示すように予め装填可能なチャンバ薬物カプセル貯蔵領域５１０内で、切断された遠位端６００ａを通路から押し出す。予め装填可能なチャンバ薬物カプセル貯蔵領域５１０は、上部支持台７１０の上方に配置され、上部支持台７１０は続いて、流体輸送チャンバ５１１の上方に配置される。流体輸送チャンバ５１１は、吸入管２２０を過ぎ直接従来の噴霧チャンバ２４０へ入る、流体の選択的な流れのために、形状が好ましくは鋭角のトンネル形である。
【００９１】
図２４Ａに示すように、ブレードプランジャーガイド５５０の中空のポケット５５１に挿入された時に、ブレードアセンブリ５６０のブレードプランジャーガイド５５０での正しい位置付けを確実にするために、ブレードプランジャー５６５は、ブレードプランジャーガイド５５０の内壁の線状溝５５３内に挿入可能な線状舌片５５２を有する。舌片５５２はＶ字型であるが、あるいは図２５Ｃに示されるように、対応する斜めの縁部に対して摺動する単一の斜めの縁部であっても良い。
【００９２】
図２４Ｂ、図２４Ｃ及び図２４Ｄは、ブレードアセンブリ５６０の位置付けサブアセンブリの別の実施態様を示す。ブレードプランジャー５６５は、誤位置停止突出ボタン５５２ａを含む。誤位置停止突出ボタン５５２ａは、ブレードプランジャー５６５がブレードアセンブリ５５０内への挿入において正しく位置付けられる時、ブレードプランジャーガイド５５０内部の頂面内で、線状溝５５３ａ内に摺動自在に挿入可能である。外部誤位置停止具５５２ｂは、ブレードプランジャー５６５が挿入において正しく位置決めされていないならば誤位置停止突出ボタン５５２ａと接触するように、ブレードアセンブリ５５０の底面部から軸方向外側に伸長して与えられる。
【００９３】
図２４Ｃは、そのプランジャー部分の拡大正面図である。図２４Ｄは、図２４Ｂの位置付けサブアセンブリのプランジャーガイドの平面図である。
【００９４】
図２５は、フォロワパドル５７２の詳細を示し、その傾斜した上面は、軸方向に伸長する中心想像線から下方に傾斜することを示す。好ましくはパドルフォロワ５７２の前縁は、切断されたカプセル部分６００ａとの実際の接触を容易にするために平坦である。したがって、遠位端を見ると、フォロワパドル５７２は、概して軸方向に伸長する三角形の断面を有する。パドルフォロワ５７２は、すべての液体が従来の噴霧器ミストチャンバ２４０に流れ出ることを確実にするために、切断されたカプセル６００、６００ａを引き離すために使用される。フォロワパドル５７２は、ブレード５７０後方の囲っている開口部５７３よりも面積がかなり小さいので、切断された遠位端６００ａを通路から押し出した際に開口部５７３を通る流体の流れを促進する。フォロワパドル５７２の丸いネックは、湾曲した矢印で示すように、好ましくは切断カプセル６００の断面積よりも幅が小さい。
【００９５】
図２５Ａ、図２５Ｂ及び図２５Ｃは、フィンガ／ハンドグリップ５６５ｂ及び切断ブレード５７０用のスロット５７２ｃを有するブレードプランジャー５６５ａを含むカッターの代替的な好ましい実施態様を示す。ブレードプランジャー５６５ａは、ブレードフォロワパドル５７２を含む。ブレードフォロワパドル５７２は、その軸方向に伸長する先端で収束する傾斜側面５７２ｂを含み、概ね断面が三角形である。外部側方縁部５７２ｄは、任意のブレードプランジャーガイド５７４の底部の傾斜壁５７４ａ内でブレードプランジャー５６５ａの適切な位置付けを確実にするために傾けられる。フォロワパドル５７２は、好ましい形態の任意のブレードプランジャー５６５ａの内縁５７２から軸方向前方に伸長する。
【００９６】
図２６〜図２８は、第６の実施態様の断面詳細図であり、遠位端６００ａでの薬物投与カプセル６００の切断動作の進行、及び切断された遠位端６００ａを仕切り５７６上方の通路から押し出すこと示す。
【００９７】
図２６及び図２６Ａにおいて、ブレード５７０は、カプセル６００から離れている。これが通常の貯蔵位置である。カプセル６００は、予め装填され、カプセル６００をきれいに切り取ることを容易にするカプセル安定ブロック５５４に支えられる。カプセル安定ブロック５５４は、カプセル基底ホルダ７１０の上方に置かれる。加えて、傾斜カプセルガイド５５４ａが、垂直な貯蔵チャンバ５１０の反対側に並置して与えらることで、カプセル６００は、ホルダ７１０内の周辺の穴７３０の１つに誤って入らず、むしろ中央穴７２０の中に正しく導かれて置かれる。傾斜カプセルガイド５５４ａはまた、切断されたカプセル６００を通路から外へ横に動かすことに役立つ。
【００９８】
図２７において、ブレード５７０は、カプセル６００を切断している。図２８は、カプセル６００が切断された直後の、薬物がフォロワパドル５２２の周囲を流れ、ブレード５７０後方のプランジャー流出開口部５７３を通り、吐出管５７５を通って流れる状況を示す。フォロワパドル５７２は、チャンバ薬物カプセル貯蔵領域５１０内で、切断された遠位端６００ａを通路から押し出す。フォロワパドル５７２の前縁による薬物カプセル６００の切断部分の分離を確実にするために、湾曲した頂面は、フォロワパドル５７２の切断端６００ａとの接触領域がブレード５７０の高さより下であるように、下方に角度が付けられる。
【００９９】
図２７〜図３３は、切断動作を容易にするための、改良された薬物カプセル保持機構を有する噴霧器の第７の実施態様である。
【０１００】
図２９は、例えば尖った頂端７０５を有する、カプセル６００よりも幅広かつ平坦である薬物カプセル７００の代替的な設計も示す。改良された基底ホルダ７１０は、幅広いカプセル設計を受け入れられる伸長スロット７２２を備えた中央穴７２０を有する。カプセル６００のタイプは、部分的に穴７２０内部で底端により保持され、他方でカプセル７００のタイプは、図２９に詳細に示すように、径方向に伸長するスロット７２２内で係合した平坦な端部により穴７２０の上方に保持される。カプセル６００又は７００は、その中央部が柔らかいので、きれいな切断が起きてそこからの液体内容物が確実に最大限に排出されるように、ブレード切断はその底部に近くなければならない。しかしながら、ブレード切断は、カプセル６００又は７００の中空の流体充填部分を通るべきであり、中空でない切り取り部分を介すべきでない。
【０１０１】
保持動作を強化する他の機構は、図３０に示すように、不透明な底部５９０ａ及び光透過性の透明又は半透明な頂部を有する貯蔵チャンバキャップ５９０内に収容される。これらは、薬物カプセルのいずれかのタイプの頂端を押し下げるために使用されるコイルばね７５０を含む。固定ばね保持具７４０は、コイルばね７５０の頂部の遠位端と係合し、キャップ５９０の内側頂部における固定位置でそれを保持する。底部カラー７６０は、コイルばね７５０の底端と係合し、キャップ５９０の内面を（ピストンのように）自由に摺動する。カラー７６０には、カプセル６００の平坦な頂端及び底端、又はカプセル７００の尖った頂端７０５又は平坦な底端７０６を中心に置く、円錐形の頂部の薬物カプセルホルダ７７０が取り付けられる。キャップ５９０の底部５９０ａは、薬物カプセル６００が円錐形の頂部の薬物カプセルホルダ７７０の下に存在しない時に底部カラー７６０を見えない場所に隠すために、好ましくは不透明である。しかしながら、薬物カプセル６００が存在する時、それが円錐形の薬物カプセルホルダ７７０及びばね７５０に対して上方に押す圧力を及ぼし、それにより、不透明底部５９０ａの上方で貯蔵チャンバキャップ５９０の上部透明又は半透明部分を介して見えるように、底部カラー７６０を上方に持ち上げる。加えて、利用者が、薬物カプセルの存在を見るために底部カラー７６０を見ることを助けるために、底部カラー７６０は、好ましくはその上に視覚的に認知可能な表示７６０ａを有する。
【０１０２】
図３２は、貯蔵チャンバの部品の内部配置を示す。ばね７５０が、カプセル７００（図示）又は６００の存在によって圧縮されることに注目されたい。これは、ブレード５７０がカプセル７００の側面に近づく直前の図である。図３３は、中央穴７２０及び周囲の穴７３０を介して下方のチャンバに流れる薬物を示す、薬物カプセル６００の切断直後の動態図である。
【０１０３】
図３４〜図３７は、コンプレッサ４２０のコンプレッサモータ４１０を作動させるための完全に一体化したシステムである第８の代替的な実施態様を示す。
【０１０４】
図３４〜図３６は、圧縮空気管３３０を経由して噴霧器２００に接続される一体型空気コンプレッサハウジング３１１を示す。固定フィンガグリップ５５５の中心に取り付けられ、ケーブル３６５を介してコンプレッサハウジング３１１に取り付けられたプランジャースイッチ３６０もまた示される。ケーブル３６５上の任意のコネクタ３６５ａは、噴霧器部分が、洗浄及び衛生化のために便利であるように、より手軽にコンプレッサから切断できるように使用される。スイッチ３６０は、好ましくは使用待機のために「オフ」のままにされる２ボタンの「ロッカー」スイッチである。任意で、それは磁気スイッチ又は他の自動化スイッチにできる。スイッチ３６０は、グリップ５５５の下部に取り付けられた「オン」の接触ボタン３７０に対するプランジャーハンドグリップ５８０の運動によって起動される。スイッチ３６０は、例えばＣｏｎｔｒｏｌ  Ｐｒｏｄｕｃｔｓ，Ｉｎｃ．によってそのＫ５０００シリーズ工業用防水スイッチで提供されるような、２線式の維持接触２ボタン「ロッカー」のような防水スイッチである。「オン」スイッチボタン３７０の下方に置かれた「オフ」スイッチボタン３７０ａは回路をオフにし、システムを「待機」状態に戻す。それは、手動コンプレッサスイッチボタン３４０を押すことにより、又は固定フィンガグリップ５５５に設置されたスイッチ３６０の「オン」スイッチボタン３７０に対するハンドグリップ５８０の接触が引き起こすプランジャーアセンブリ５６０の再起動により、再度通電できる。代替的な実施態様において、表示灯３６５ｂが、待機モードを表示するために加えられる。これは、コネクタ３６５ａが係合され、電力は入っているが、スイッチがオフの状態である。利用可能な電圧と適合したいかなる発光体も使用できるが、好ましい装置は、緑色発光ダイオード（ＬＥＤ）である。
【０１０５】
図３５は、これらの２つの部分である、作動すると互いに接触する固定ハンドグリップ５８０及びスイッチ３６０の「オン」スイッチボタン３７０を示す。「オフ」ボタン３７０ａは、スイッチ３６０をオフにするために使用される。「オン」ボタン３７０が押されると、接点が閉じる。「オフ」ボタン３７０が押されると、接点が開く。好ましくは任意の弾性接触ボタンバンパ５８０ａが、固定ハンドグリップ５８０及び「オン」ボタン３７０の間の接触を確実にする。操作の際に、噴霧器２００は、チャンバ２１０内の準備定位で貯蔵される薬物投与カプセル３００、６００又は７００を備える。コンプレッサの壁プラグ３２０は、通常ＡＣ電源出力で通電される。手動オーバライドボタン３４０は、スイッチ３６０又は回路のいずれかの部分での故障の場合にのみ必要であり、「オフ」位置にある。使用状況では（おそらく喘息発作の苦しみのさなかに）、利用者は、固定フィンガグリップ５５５に向けてプランジャーハンドグリップ５８０を押すことのみが必要である。スイッチ３６０の「オン」ボタン３７０が起動し、それにより切断カプセル３００は、従来の噴霧チャンバ２４０に薬物を排出し、そしてマウスピース２３０を介して吸入する。切断カプセル３００の動作は、コンプレッサハウジング３１１上の手動スイッチ３４０を使用することなく、コンプレッサのスイッチを同時に入れる。システムは、耐故障システムであり、回路が機能しなくなると、オーバライドボタン３４０が直接モータ４１０への回路を形成し、リレー３８０の接点３９５を迂回し、それによりスイッチ３６０、ケーブル３６５又はリレー３８０の多重故障にもかかわらず作動する。
【０１０６】
位置発光表示器用のコンセント３１３は、それに「常夜灯」３１５を任意で付けられる。コンセント３１３は、常に「通電」である。ホルダ３１４は、噴霧器開口部アセンブリ及び吸入器を内部に容易に保管するために、平坦なブレードプランジャーガイド２５０の端部を係合させるための細長い穴、及びキャップ２９０の湾曲を受け入れる部分的に丸い切り欠きを有する。
【０１０７】
図３７の配線図は、操作を説明し、かつ図３４〜図３６に示した主要な部品の物理的な位置を示す。図３７の配線図中の点線３１１は、コンプレッサハウジング３１１の境界を示す。変圧器３８５は、リレー３８０及び表示ランプ３４５を作動させるために、低電圧Ｖｓ（通常は安全な１２又は２４ボルト）を供給する。表示ランプ３４５は、スイッチ３６０がオンでありかつ回路が完全である時に、変圧器３８５が、リレーコイル３９０を通電することの待機状態で作動していることの表示手段として常に作動している。オンボタン３７０の動作によるスイッチ３６０の起動が、リレーコイル３９０に電圧Ｖｓを提供し、それにより通常開放したリレー接点３９５が閉鎖することによって、コンプレッサモータ４１０を通電することに注目されたい。スイッチ３６０の起動を試みても操作が開始されないような場合には、コンプレッサハウジング３１１上の手動スイッチ３４０がモータ４１０に直接配線されているので、操作を開始するためにそれを使用できる。変圧器３８５は、噴霧システム全体が常に作動の即時準備モードにあるように、プラグ３２０が差し込まれている限り絶え間なく通電されていることに注目されたい。コンプレッサ４２０は、患者への噴霧において薬物を噴霧化する噴霧チャンバ２４０に空気圧を提供するために、モータ４１０によって駆動される。
【０１０８】
図３８は、噴霧吸入器の中の従来の噴霧器ハウジング３１０のミストコンプレッサモータ４１０を自動的に始動する、補助プラグ接続式の始動ボックス８００についての第９の実施態様を示す。この実施態様は、従来のコンプレッササブアセンブリの改良である。
【０１０９】
図３９は、その電気配線図である。一方のコンセント８０２が、噴霧器のコンプレッサモータ４１０からのプラグ３２０を挿入するために提供される。他方のコンセント８０３は、暗闇において視覚によるアクセスを提供する常夜灯８１５のために、利用者がプラグを挿入可能である。予備緊急事態用の押しボタン３４０ａは、プランジャー５６０が作動しない場合に、図３８の従来のコンプレッサハウジング３１０の噴霧器コンプレッサモータ４１０を始動する。緑色表示灯３４５は、コンプレッサの変圧器３８５がオンであることを示す。噴霧器ホルダ３１４は、その中にプランジャーガイド５５０を保持するために提供される。プランジャーアセンブリ５５０はまた、図３５及び図３６に示されたような、ここで適用可能な「オン」スイッチボタン３７０及び「オフ」ボタン３７０ａを備えたスイッチ３６０を含む。スイッチ３６０は、ハンドグリップ５８０によるボタン３７０の接触で起動される。噴霧器プラグ３２０は、スイッチ３６０又はスイッチ３４０ａのいずれかが閉鎖された時に通電される。システムは、耐故障システムであり、回路が機能しなくなると、コンプレッサ手動スイッチ３４０ａが、起動のために利用できる。
【０１１０】
２つのモータ式ブレードプランジャーサブアセンブリ型、並びにリレータイプ制御システムが、図４０〜図４４に記載される。
【０１１１】
図４０は、主ねじ型８５０の側面図である。ハウジング８５３内に、主ねじ８５８を駆動する歯車８５７と噛み合う出力軸歯車８５６を有するＤＣＰＭモータ８５２がある。主ねじナット８５９は、直線状ガイド８６０の側方溝に支えられて動く、運搬板８６１に取り付けられる（平面図について図４１を参照）。板８６１の先端には、ブレード５７０のホルダ８６３が形成される。リミットスイッチ８６５及び８６６は、運搬板８６１の行程の許容限界を検出する。瞬時又は他の「オン／オフ」接触押しボタン８５１は、自動の薬物容器切断行動を始動させる。
【０１１２】
図４２の側面図及び図４３の底面図は、主ねじに代えてラック及びピニオン機構を使用した、代替的な実施である動力ブレードプランジャー９００の詳細を示す。低出力速度歯車モータ９０２は、好ましくはＤＣＰＭ設計を組み込み、ハウジング９０１内の要素に動力を供給する。溝付きの直線状ガイド９０３は、モータピニオン歯車９１５が係合するラック歯車の歯９１２によって運搬板９１０を導く。板９１０の先端には、ブレード５７０用のホルダ９１１が形成される。縁部９１４は、その前進行程上でリミットスイッチ８６５と係合し、モータ９０２の自動的反転を開始する。
【０１１３】
動力ブレードプランジャーのいずれかの実施のための制御システムは、図４４の制御回路によって説明される。この回路は、独立型にできるが、図３７及び図３９の配線図に記載されるシステムと一体にされても良い。
【０１１４】
電源９５０は、使用されるリレー及びモータと適合する低ＤＣ電圧（例えば約６〜１２ボルト）を供給する。押しボタン８５１は、通常開放される。押されると、コンデンサ９５２（概ね０．０５ｕｆｄ）を介して短電圧パルスを供給し、それがシングルショットタイマブロック９５４（約４０〜８０ｍｓ）からの時限出力パルスの始動を引き起こす。抵抗９５１（概ね５００ｋオーム）は、単にコンデンサ９５２をブリードオフする。ブロッキングダイオード９５８及び９６０は、フィードバック・アイソレーションにより２つの別個のリレーを駆動する単一のリレードライバ９５６の使用を可能にする。２つの双極単投式接点対を有するリレー９６２は、モータ、及び薬剤カプセルが分断された後に限界点でモータ反転を開始する制御リレー９６４（同じタイプ）に加えられる電圧を制御する。リレー９６２及び９６４は、ドライバ９５６によって最初に作動された後、リレーをラッチアップする１組の接点を各々が使用する。リレー９６６は、通常閉鎖及び通常開放の両方の接点対を備えた双極双投型の接点を有する。このリレーは、モータ反転に使用される。
【０１１５】
操作時、押しボタン８５１を最初に押すと、両方のリレー９６２及び９６４がドライバ９６５を介して通電され、そして接点対と直列の通常閉鎖されるリミットスイッチの一方が開放して限界に達したことを信号で伝えるまで、リレー接点によってラッチ状態に保たれる。リレー９６２の場合、シャットダウンスイッチ８６６がそのコイルの通電を絶つ。リレー９６４の場合、前方リミットスイッチ８６５がそのコイルの通電を絶ち、モータ８５２又は９０２の反転を信号で伝える。リレー９６２が最初に通電されると、それは即時にモータの電圧を提供する。リレー９６４は同時に通電され、それにより前進するようにモータを回転させる反転リレー９６６のコイルへの通電電圧を供給する。薬剤容器が切断された後、リミットスイッチ８６５が開放することによってリレー９６４の通電を絶ち、続いてリレー９６６のコイル電力を切ってモータを反転させ、リミットスイッチ８６６の開始位置まで駆動してシステムをシャットダウンする。
【０１１６】
図４５は、どちらか一方の側を下方にして挿入できる標準的な薬物カプセル６００を使用する実施態様１０００の拡大した垂直な貯蔵チャンバ１００２を示す。下方管１０１８は、呼吸管５２０を支持するとともに、薬物を下方に導いて噴霧チャンバへ入れる。取り付けられた固定フィンガレストを有するプランジャーハウジング１００６は、取り付けられたフィンガグリップ板１００９により内部にプランジャーロッド１００７を導く。この実施態様は、カプセル６００から薬物を放出するために、直接の指／手の作動を使用する。キャップ１０１２は、大径ロックピン１０１５及び小径ロックピン１０１６を使用してチャンバ１００２を閉鎖する。２つの異なる直径の使用は、キャップ１０１２を異なる向きでロックすることを不可能にする。適切な位置合わせの補助として、キャップ及びチャンバ上の表示１０１３及び１０１４のそれぞれが使用される。参照番号１００４は、放出薬物を集めてそれを噴霧チャンバに向けて導くための漏斗収集領域である。
【０１１７】
図４６は、垂直な貯蔵チャンバ１００２の内部を示す。基底リング１０２４は、中央穴１０２０を備えた漏斗１００４にチャンバ１００２を取り付ける。拡張部１０２５は、端部がスロット１０２６を通って突き出る薬物カプセル６００の基底支持体である。スロット１０２６を長くすることにより、狭いタイプ６００又は広いタイプ７００の両方のタイプの薬物カプセルが収容できる。垂直な側方の窪み１０２２は、薬物カプセル６００又は７００の側方の支持台として機能する。キャップ１０１２の側面図断面を図４７に示す。図４７は、ピン１０１６及び１０１５をそれぞれ受け入れるロック溝１０３０及び１０３１を示す。円錐形部材１０３５は、板ばね１０３４を介して取り付けられ、ロックされた時に薬物カプセルの頂部に当たる位置に配置され、側方凹部１０２２にそれを押し込む。
【０１１８】
図４８は、アセンブリ１０００の側方内部図を示す。プランジャーロッド１００７の遠位端が鈍い圧縮ヘッド１０５３を備え、その遠位端が交換式垂直ブレード１０４１を受けることに注目されたい。カプセル６００が、円錐形部材１０３５の作用により、側方の窪み台１０２２内で僅かな角度で位置決めされることにも注目されたい。プランジャーロッド１００７が前方に推進されると、ブレード１０４１は、カプセル６００を低い点で突き刺し、そして鈍い圧縮ヘッド１０５３の鈍い端部が、カプセル６００の側方に当たり、それにより垂直な切れ目の開放がブレード１０４１によって引き起こされて、それにより薬物を放出する。
【０１１９】
図４８は、垂直に向けたブレード１０４１を示すが、代替的な実施態様において、ブレードは、（図１７〜図４４に示すように）垂直及び水平な向き間のいずれにも向けられ得る。
【０１２０】
例えば、図４８Ａは、カプセル圧縮ヘッド上に配置された、斜めに向けられた切断ブレードの代替的な実施態様の拡大詳細図を示す。
【０１２１】
図４８Ｂは、カプセル圧縮ヘッド上に配置された、例えば逆Ｖ字型切断ブレードのような、複合ブレードの実施態様について更なる代替的な実施態様の拡大詳細図を示す。複合ブレードの実施態様については、他の幾何学的形状が使用できる。
【０１２２】
図４９は、貯蔵チャンバ１００２内に押される、その下端の近傍に弱くした領域１０５１を有するカプセル１０５０を使用する代替的な実施態様を示す。この実施態様において、ブレードは使用されない。代わりに鈍い圧縮ヘッド１０５３が、プランジャーロッド１０４７がハウジング１０４６内で前方に推進される時に、カプセル１０５０の側方に衝撃するように位置決めされる。機械的な利点を提供し、手全体での操作を可能にするために、ブラケット１０５５、１０５７及び中央ピボット１０５９は、プランジャーロッド１０４７を前方に推進するためにプライヤグリップ１０６０及び１０６１を支持する。（このプライヤアセンブリは、示すような直接作動の代わりに、図１７、図２５、図２９、図３４、図３８又は図４８に示すような、プランジャーの実施態様のいずれにおいても使用できる。）ガス圧が、カプセル１０５０内で上昇すると、弱くした領域は破断し、それにより薬物を放出する。
【０１２３】
薬物カプセル１０５０は、弱くした領域を反対端にも構成できるので、図５０及び図５１は、カプセル１０５０内の弱くした領域と反対端で異なる弱くした領域１０７１を備えたカプセル１０７０を示して、これら２つの実施を対照する。
【０１２４】
以上の記載において、一定の用語及び視覚的な描写が、好ましい実施態様を例示するために使用された。しかしながら、用語及び図は例に過ぎず、本発明の範囲を限定することを意図されていないので、先行技術において示されたものを越える、使用された用語又は描かれた図によって、不必要な限定が解釈されるべきでない。
【０１２５】
添付の請求項で言及したように、本発明の範囲を逸脱することなく、他の変更が本発明になされ得ることも更に分かる。
【符号の説明】
【０１２６】
１０  噴霧器ハウジング
１１  噴霧器ハウジング１０と呼吸器２５の間の接続管
１４  噴霧器チャンバを含む従来の薬物投与容器
１５  噴霧器チャンバ
２０  圧縮空気供給管
２５  従来の噴霧器の従来の呼吸器部分
３０  従来の呼吸器２５の近位端の従来のマウスピース
３１  従来の呼吸器２５の開放遠位端
３２  新規な貯蔵チャンバの内部表面
３５  薬物投与のための新規な貯蔵チャンバ
３６  薬物貯蔵チャンバ３５の内端
３７  薬物貯蔵チャンバ３５の外端
３８  薬物貯蔵チャンバ３５の内端３６での先細の開放端ノズル
４０  噴霧される投与量の液体薬物を含む、利用者が取り外し可能で利用者が交換可能な薬物投与カートリッジ
４１  薬物投与カートリッジ４０の外端
４２  薬物投与カートリッジ４０の内端
４３  薬物投与カートリッジ４０の内端４２での圧力シール
４４  カートリッジ４０の外端４１での弾性的に密閉されたピストン
４５  薬物投与カートリッジ４０の開放小径内端
４７  薬物カートリッジ４０の先細の内側ショルダ
５０  溝付きピストンロッド
５２  指係合翼状部
５５  ピストンロッド５０の係合溝のための止め具
５６  利用者の力を加えるためのピストンロッド５０の端部での圧力板
６２  垂直な薬物貯蔵スリーブ６２
６２ａ、６２ｂ  流体がチャンバ１５に入ることを可能にするスリーブ６２内のスロット
６２ｃ  カプセル６６の切り取り部分の拘束停止手段
６２ｄ  チャンバ１５への流体の流れのための開口部
６４  切り取りタブ
６６  薬物投与カプセル
６８  ねじキャップ稼働ハンドル
６９  稼働レバーハンドル
６９ａ  稼働レバーハンドルロッド
６９ｂ  稼働レバーハンドルパドル
７０  吸入パイプ
１６２ａ  噴霧ポート
１６２ｂ  噴霧ポート
１６２ｃ  拘束停止手段
１６８  ノブアクチベータ
１８０ａ  カプセルつまみブレード
１８０ｂ  カプセルつまみブレード
１９０  カムアセンブリ
１９２ａ  カム接触要素
１９２ｂ  カム接触要素
１９４ａ  回転停止要素
１９４ｂ  往復回転停止要素
２００  ブレードカッターを備えた噴霧器アセンブリ
２１０  垂直な貯蔵チャンバ
２２０  吸入管
２３０  マウスピース
２４０  従来の噴霧チャンバ
２５０  平坦なブレードプランジャーガイド
２５５  固定フィンガ／ハンドグリップ
２６０  ブレードアセンブリ
２６５  平坦なブレードプランジャー
２７０  切断ブレード
２７５  プランジャー流出開口部
２８０  プランジャーフィンガ／ハンドグリップ
２９０  貯蔵チャンバキャップ
２９２  プランジャーガイド内の排出水抜き穴
２９５  排出水抜き穴を覆うキャップ
３００  薬物投与カプセル
３００ａ  薬物カプセル３００の分断遠位端部
３１０  従来のコンプレッサハウジング
３１１  一体型コンプレッサハウジング
３１２  位置光表示器及びホルダ支持体
３１３  常夜灯プラグコンセント
３１４  噴霧器ホルダ
３１５  常夜灯
３２０  電気壁プラグ
３３０  圧縮空気管
３４０  手動コンプレッサスイッチ
３４０ａ  従来のコンプレッサの手動ロッカースイッチ
３４５  表示ランプ
３６０  プランジャースイッチ
３６５  プランジャースイッチケーブル
３６５ａ  スイッチケーブルコネクタ
３６５ｂ  待機モードを示すＬＥＤ
３７０  プランジャースイッチの「オン」ボタン
３７０ａ  プランジャースイッチの「オフ」ボタン
３８０  リレー
３８５  変圧器
３９０  リレーコイル
３９５  リレー接点
４１０  コンプレッサモータ
４２０  空気コンプレッサ
５００  ブレードカッター及び押出手段を備えた噴霧器アセンブリ
５１０  垂直な貯蔵チャンバ
５１０ａ  カプセル保持ガイド開口部
５１０ｂ  カプセル保持ガイド
５２０  吸入管
５３０  マウスピース
５４０  従来の噴霧チャンバ
５５０  平坦なブレードプランジャーガイド
５５１  プランジャーガイド５５０内の中空のポケット
５５２  内壁舌片
５５２ａ  内壁突出ボタン
５５２ｂ  外部誤位置停止具
５５３  内壁溝
５５３ａ  内壁頂部溝
５５４  カプセル安定ブロック
５５４ａ  傾斜カプセルガイド
５５５  固定フィンガグリップ
５５６  カプセルガイド
５６０  ブレードアセンブリ
５６５  平坦なブレードプランジャー
５６５ａ  任意の平坦なブレードプランジャー
５６５ｂ  平坦なブレードプランジャー５６５ａのフィンガ／ハンドグリップ
５７０  切断ブレード
５７２  切断ブレード５７０のフォロワパドル
５７２ａ  切断ブレード５７０の任意のフォロワパドル
５７２ｂ  任意のフォロワパドル５７２ａの傾斜側面
５７２ｃ  ブレード５７０用のスロット
５７２ｄ  傾斜方向縁部
５７２ｅ  任意の平坦なブレードプランジャー５６５ａの斜角内縁部
５７３  ブレードプランジャー５７０での開口部
５７４  任意のプランジャーガイド
５７４ａ  プランジャーガイドの傾斜側面
５７５  中空吐出管
５７６  仕切り
５８０  プランジャーフィンガ／ハンドグリップ
５８０ａ  プランジャーフィンガ／ハンドグリップ５８０上のバンパボタン接点
５９０  貯蔵チャンバのキャップ
５９０ａ  キャップ５９０の不透明な底部
６００  薬物投与カプセル
６００ａ  薬物カプセル６００の分断した遠位端部
７００  代替的な型の薬物投与カプセル
７０５  投与カプセル７００の尖った先端
７１０  薬物カプセルの基底ホルダ
７２０  基底ホルダ内のスロットを有する中央穴
７２２  中央穴７２０のスロット
７３０  薬物流動を可能にする基底ホルダ内の周辺の穴
７４０  頂部の固定ばね保持器
７５０  コイルばね
７６０  底部の可動ばね保持器
７６０ａ  保持器７６０上の表示
７７０薬物カプセルの円錐形頂部ホルダ
８００  補助電力ボックス
８０２  噴霧器プラグコンセント
８０３  常夜灯コンセント
８１５  常夜灯
８５０  主ねじ型動力ブレードプランジャー
８５１  動力プランジャー型の押しボタン
８５２  ＤＣＰＭモータ
８５３  主ねじ動力ブレードプランジャーのハウジング
８５６  主ねじ型のモータ歯車
８５７  大きい主ねじ駆動歯車
８５８  主ねじ
８５９  主ねじナット
８６０  主ねじ型の溝付き直線状ガイド
８６１  ８５９に取り付けられたプランジャー運搬板
８６３  ブレードホルダアセンブリ−８６１の先端部
８６５  反転用のリミットスイッチ
８６６  シャットダウン用のリミットスイッチ
９００  動力ブレードプランジャーのラック及びピニオン（ｒ＆ｐ）型
９０１  ｒ＆ｐ型のハウジング
９０２  ＤＣＰＭ歯車モータ
９０３  ｒ＆ｐ型用の溝付き直線状ガイド
９１０  Ｒ＆ｐプランジャー運搬板
９１１  ブレードホルダアセンブリ−９１０の先端部
９１２  ラック歯
９１４  反転リミットスイッチを操作する縁部
９１５  ９１２と係合したモータピニオン歯車
９５０  モータ駆動ブレードプランジャーのＡＣ／ＤＣ電源
９５２  コンデンサ
９５４  シングルショットタイミングパルス
９５６  リレードライバ
９５８  ブロッキングダイオード
９６０  ブロッキングダイオード
９６２  電力リレー
９６４  反転制御リレー
９６６  モータ反転リレー
１０００  直接作動による垂直な貯蔵チャンバアセンブリ
１００２  大きい垂直な貯蔵チャンバ
１００４  薬物を収集及び導くための漏斗領域
１００６  プランジャーハウジング
１００７  プランジャーロッド
１００８  固定フィンガ／ハンドレスト
１００９  可動フィンガ／ハンドレスト
１０１２  貯蔵チャンバのキャップ
１０１３  キャップロック位置合わせのための表示
１０１４  キャップ位置合わせのためのチャンバ上の表示
１０１５  大径ロックピン
１０１６  小径ロックピン
１０１８  中空伸長部
１０２０  噴霧器チャンバ上方の中央穴
１０２２  支持台凹部
１０２４  チャンバの基底支持リング
１０２５  薬物カプセル支持拡張部
１０２６  カプセル端部のスロット
１０３０  小さいピン溝
１０３１  大きいピン溝
１０３４  板ばね
１０３５  円錐形部材
１０４１  垂直な突き刺しブレード
１０４５  プライヤグリップを備えた垂直な貯蔵チャンバアセンブリ
１０４６  プランジャーハウジング
１０４７  プランジャー
１０５０  改良カプセル
１０５１  改良カプセルの弱くした領域
１０５３  鈍い圧縮ヘッド
１０５５  固定回転ブラケット
１０５７  可動回転ブラケット
１０５９  中央ピボット
１０６０  プライヤグリップ
１０６１  プライヤグリップ
１０７０  改良カプセル
１０７１  改良カプセルの弱くした領域
【図１】
2010538790.tif 000003
【図２】
2010538790.tif 000004
【図３】
2010538790.tif 000005
【図４】
2010538790.tif 000006
【図５】
2010538790.tif 000007
【図６】
2010538790.tif 000008
【図７】
2010538790.tif 000009
【図８】
2010538790.tif 000010
【図９】
2010538790.tif 000011
【図１０】
2010538790.tif 000012
【図１１】
2010538790.tif 000013
【図１２】
2010538790.tif 000014
【図１３】
2010538790.tif 000015
【図１４】
2010538790.tif 000016
【図１５】
2010538790.tif 000017
【図１６】
2010538790.tif 000018
【図１７】
2010538790.tif 000019
【図１８】
2010538790.tif 000020
【図１９】
2010538790.tif 000021
【図２０】
2010538790.tif 000022
【図２１】
2010538790.tif 000023
【図２２】
2010538790.tif 000024
【図２３】
2010538790.tif 000025
【図２４】
2010538790.tif 000026
【図２４Ａ】
2010538790.tif 000027
【図２４Ｂ】
2010538790.tif 000028
【図２４Ｃ】
2010538790.tif 000029
【図２４Ｄ】
2010538790.tif 000030
【図２５】
2010538790.tif 000031
【図２５Ａ】
2010538790.tif 000032
【図２５Ｂ】
2010538790.tif 000033
【図２５Ｃ】
2010538790.tif 000034
【図２６】
2010538790.tif 000035
【図２６Ａ】
2010538790.tif 000036
【図２７】
2010538790.tif 000037
【図２８】
2010538790.tif 000038
【図２９】
2010538790.tif 000039
【図３０】
2010538790.tif 000040
【図３１】
2010538790.tif 000041
【図３２】
2010538790.tif 000042
【図３３】
2010538790.tif 000043
【図３４】
2010538790.tif 000044
【図３５】
2010538790.tif 000045
【図３６】
2010538790.tif 000046
【図３７】
2010538790.tif 000047
【図３８】
2010538790.tif 000048
【図３９】
2010538790.tif 000049
【図４０】
2010538790.tif 000050
【図４１】
2010538790.tif 000051
【図４２】
2010538790.tif 000052
【図４３】
2010538790.tif 000053
【図４４】
2010538790.tif 000054
【図４５】
2010538790.tif 000055
【図４６】
2010538790.tif 000056
【図４７】
2010538790.tif 000057
【図４８】
2010538790.tif 000058
【図４８Ａ】
2010538790.tif 000059
【図４８Ｂ】
2010538790.tif 000060
【図４９】
2010538790.tif 000061
【図５０】
2010538790.tif 000062
【図５１】
2010538790.tif 000063
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
投与量の液体薬物を収容する噴霧チャンバを内部に有する噴霧器ハウジング内に埋め込まれ、かつそこから外側に突出する薬物投与カプセル貯蔵チャンバと、
前記投与量の液体薬物を噴霧状にするためにコンプレッサから圧縮空気を受け入れる前記噴霧チャンバ底部の開口部と、
噴霧薬物を受け取るために患者によって使用されるマウスピースを有する呼吸器から垂直に伸長する接続管を介して前記噴霧器ハウジングに結合した、前記噴霧器ハウジング上方の水平に伸長する呼吸器と、
前記噴霧チャンバに薬物を補充する装置とを含み、
前記装置は、前記液体薬物を含む液体薬物投与カプセルを受ける開口部を有する前記カプセル貯蔵チャンバを含み、
前記カプセル貯蔵チャンバは、一対の向かい合った端部を有し、前記端部の一方は、前記噴霧チャンバの近傍に固定された内端であり、反対端が外端であり、前記カプセル貯蔵チャンバは、前記噴霧器ハウジング内の前記噴霧チャンバの近くから前記噴霧器ハウジングを通って外側に突出し、それにより前記カプセル貯蔵チャンバの外端は利用者にとって利用可能であり、
前記液体薬物投与カプセルは、その内端の近くに圧力で破断可能なシールを有し、該内端は、前記カプセル貯蔵チャンバ内に収容され、前記液体薬物投与カプセルの前記内端が、前記カプセル貯蔵チャンバの前記内端近くに嵌め込まれ、
前記カプセル貯蔵チャンバの前記外端が、前記シールの破れを引き起こし、それにより薬物を前記噴霧チャンバに放出する、前記液体薬物投与カプセル内で薬物に圧力を加える手段を含む、
半自動緊急薬物投与噴霧器。
【請求項２】
前記液体薬物投与カプセルの前記外端に圧力を加える前記手段が、ピストンアセンブリを含む請求項１に記載の半自動緊急薬物投与噴霧器。
【請求項３】
前記ピストンアセンブリが、前記カプセル貯蔵チャンバと一体である請求項２に記載の半自動緊急薬物投与噴霧器。
【請求項４】
前記液体薬物投与カプセルが、噴霧される緊急の薬物投与量が予め充填された、利用者が取り外し可能かつ交換可能な医療用カートリッジを含む請求項３に記載の半自動緊急薬物投与噴霧器。
【請求項５】
前記カートリッジが、前記補充管の前記カプセル貯蔵チャンバを介して、前記噴霧チャンバに前記液体薬物を注入する請求項４に記載の半自動緊急薬物投与噴霧器。
【請求項６】
液体薬物を収容する噴霧チャンバを有する垂直に伸長するハウジングと、
投与量の前記液体薬物を噴霧状にするためにコンプレッサから圧縮空気を受け入れる前記ハウジング底部の開口部と、
噴霧薬物を受け取るために、前記ハウジングから垂直上方に伸長する接続管を介して前記ハウジングに結合された、前記ハウジング上方の水平に伸長する呼吸器と、
前記噴霧薬物を受けるために患者によって使用される、前記呼吸器に備えられたマウスピースと、
前記呼吸器に取り付けられた、前記噴霧チャンバを薬物で再充填する装置と、
前記装置に含まれる、前記接続管と一列に並べられた、前記液体薬物を含む垂直方向に向けられた液体薬物投与カプセルを収容するためのカプセル貯蔵チャンバを含む再充填管と、
前記液体薬物投与カプセルの側方を介して切り取ることによって垂直方向に向けられた前記液体薬物投与カプセルを完全に分断し、前記液体薬物投与カプセルの下部の除去及び移動を引き起こすための水平に伸長する切断ブレードを含む分断手段とを含み、
前記切断ブレードは、垂直方向に向けられた前記液体薬物投与カプセルの分断部分を前記液体薬物の流線の外に押し出して重力の作用で前記液体薬物を前記噴霧チャンバに流すための、水平に向けられた前記切断ブレードの後方に取り付けられたフォロワパドルを有する、
半自動緊急薬物投与噴霧器。
【請求項７】
前記切断ブレードを含む前記分断手段が、前記再充填管に取り付けられた切断アセンブリを含み、前記切断ブレードが、前記液体薬物投与カプセルを分断及び開放するための傾けられた先端を有する請求項６に記載の半自動緊急薬物投与噴霧器。
【請求項８】
前記切断アセンブリが、プランジャーガイドと、前記プランジャーガイド内で摺動自在なプランジャーとを更に含み、前記切断ブレードは、前記プランジャーが前記再充填管に向けて前進した時に前記液体薬物投与カプセルを完全に分断するように、前記プランジャーの先端に取り付けられ、前記液体薬物投与カプセルが前記切断ブレードによって完全に分断された後に前記切断ブレードの後方で投与量の前記液体薬物が流れることを可能にするために、前記プランジャーが、好ましくは前記切断ブレードの後方にプランジャー流出開口部を有する請求項７に記載の半自動緊急薬物投与噴霧器。
【請求項９】
前記プランジャーガイド及び前記プランジャーのそれぞれが、前記液体薬物を前記薬物チャンバへ放出する片手操作を可能にする各々のフィンガ／ハンドグリップを有し、前記切断ブレードの前記傾けられた先端は、前記プランジャーの側面から約４５度の角度で傾いている請求項８に記載の半自動緊急薬物投与噴霧器。
【請求項１０】
前記プランジャーが、前記液体薬物投与カプセルの分断部分を前記液体薬物の流線の外に押し出すための、前記ブレードの後方に取り付けられた、丸みのある前縁を有するフォロワパドルを有し、前記フォロワパドルが、好ましくは下方に角度を付けられた頂部を有し、前記フォロワパドルの接触領域は、前記切断ブレードの下方にある請求項８又は９に記載の半自動緊急薬物投与噴霧器。
【請求項１１】
前記液体薬物投与カプセルが、流体が流れ出る穴に収容されることを防ぎ、かつ前記液体薬物投与カプセルが、前記カプセル貯蔵チャンバ内にあるカプセル支持台のカプセル位置決め穴に嵌め込まれることを容易にするために、前記カプセル貯蔵チャンバの一方の側面に与えられたカプセル安定ブロックと、前記カプセル貯蔵チャンバの反対側面に並置して与えられたカプセルガイドとを更に含む請求項１０に記載の半自動緊急薬物投与噴霧器。
【請求項１２】
前記液体薬物投与カプセルが分断される時に、圧縮空気を前記噴霧器チャンバに送達するために前記コンプレッサを起動する起動手段を有し、前記起動手段が、好ましくは前記プランジャーガイドの固定フィンガグリップに取り付けられたスイッチを含み、前記プランジャーの前記フィンガ／ハンドグリップが前記液体薬物投与カプセルを分断するために動かされると、前記スイッチが起動する請求項７に記載の半自動緊急薬物投与噴霧器。
【請求項１３】
垂直方向に向けられた前記液体薬物投与カプセルを完全に分断するための前記分断手段が、
ホルダの遠位端に取り付けられた傾いた先端を備えた前記切断ブレードと、
電気モータによって駆動される前記ホルダと、
前記ホルダを初期位置から前記切断ブレードが垂直方向に向けられた前記液体薬物投与カプセルを完全に切断するまで前進させて、薬物が前記噴霧チャンバに流れることを可能にする電気モータの作動を開始するためのスイッチと、
を含む請求項６から１２のいずれかに記載の半自動緊急薬物投与噴霧器。
【請求項１４】
薬物を収容する噴霧チャンバを有する垂直に伸長するハウジングと、
前記薬物を噴霧状にするためにコンプレッサから圧縮空気を受け入れる前記ハウジング底部の開口部と、
噴霧薬物を受け取るために、前記ハウジングから垂直上方に伸長する接続管を介して前記ハウジングに結合された、前記ハウジング上方の水平に伸長する呼吸器と、
前記噴霧薬物を受けるために患者によって使用される、前記呼吸器に備えられたマウスピースと、
前記呼吸器に接して上方に取り付けられた、前記噴霧チャンバを薬物で補充する装置と、
前記装置に含まれる、前記接続管と一列に並べられた、液体薬物を含む垂直方向に向けられた液体薬物投与カプセルを収容するためのカプセル貯蔵チャンバを含む補充管と、
前記液体薬物投与カプセルを開放する開放手段とを含み、
前記液体薬物投与カプセルは、その下端に近接して弱められた領域を有し、
前記開放手段は、前記弱められた領域より上で前記液体薬物投与カプセルの一部と当たる鈍い圧縮ヘッドを含み、前記液体薬物投与カプセルの前記弱められた領域は、前記鈍い圧縮ヘッドが前記液体薬物投与カプセルと接触し前記弱められた領域を開放する力を与えて前記液体薬物投与カプセル内で圧力が増加すると破れて開放する、
半自動緊急薬物投与噴霧器。
【請求項１５】
薬物を圧縮してミストにするコンプレッサを有し、前記コンプレッサが、噴霧薬物を受けるために患者によって使用されるマウスピースを備えた呼吸器に圧縮空気を提供する、噴霧器内に液体薬物を注入するために必要とされる時間及び労力を減少させることにより、急性呼吸促迫に苦しむ人への速やかな症状緩和をもたらす半自動緊急薬物投与噴霧器であって、
貯蔵された投与量の液体薬物を噴霧チャンバに配備するために、噴霧器に1回の水平方向の力の直線動作を加える加力装置と、
前記液体薬物投与カプセルを貯蔵するためのカプセル貯蔵チャンバ及び投与量の薬物を呼吸器に送達するための送達手段とを含み、
前記液体薬物投与カプセルは、前記カプセル貯蔵チャンバ内に垂直に維持され、前記液体薬物投与カプセルは、前記液体薬物投与カプセルに利用者の力を加えると開放可能であり、
前記加力装置は、前記カプセル貯蔵チャンバ内に貯蔵される前記液体薬物投与カプセルに挿入されるねじキャップを含み、前記液体薬物投与カプセルは、利用者が前記ねじキャップにトルクを加え、次に前記トルクを前記液体薬物投与カプセルに伝達すると前記液体薬物投与カプセルの破損を引き起こす底部の切り取りタブを有し、前記カプセル貯蔵チャンバは、前記切り取りタブを係合して、前記液体薬物投与カプセルへトルクを加えた際にそれが回転することを防ぐために、その底端近くにカプセル拘束停止手段を有する、
半自動緊急薬物投与噴霧器。
【手続補正２】
【補正対象書類名】明細書
【補正対象項目名】００８５
【補正方法】変更
【補正の内容】
【００８５】
鋭利な傾いた先端を有する切断ブレード２７０を、図１８のブレードアセンブリ２６０の平面図に示す。切断された後にカプセル３００から流出する薬物の流れを遮らない領域を与えるプランジャー流出開口部２７５に注目されたい。固定フィンガグリップ２５５は、切断運動を行うために、片手の親指及び指を使用する圧縮動作のための便利な表面を提供する。カプセル３００が次回の喘息発症のための準備貯蔵でチャンバ２１０内に挿入された後、キャップ２９０が、チャンバ２１０頂部の大きな開口部２１０ａを密閉するために使用されることに注目されたい。キャップ２９０は、カプセル３００が切り取り及び切断された後に飛び出ないようにする。切断後に、薬剤が従来の噴霧チャンバ２４０へ流れ落ち、そこで底部から送り込まれる圧縮空気の作用によって微細な小滴に砕かれることに注目されたい。マウスピース２３０を有する吸入管２００で、噴霧器２００の主要な部分は完結する。
【手続補正３】
【補正対象書類名】明細書
【補正対象項目名】００９０
【補正方法】変更
【補正の内容】
【００９０】
図２４において、鋭利な傾いた先端（おおよそ２５〜６５度、好ましくは４５度）を有する切断ブレード５７０を、ブレードアセンブリ５６０の斜視図に示す。図２４はまた、隣接した流体開口部５７３での剛性の又は僅かに可撓性のフォロワパドル５７２を示す。フォロワパドル５７２は、図２８に示すように予め装填可能なチャンバ薬物カプセル貯蔵領域５１０内で、切断された遠位端６００ａを通路から押し出す。予め装填可能なチャンバ薬物カプセル貯蔵領域５１０は、上部支持台７１０の上方に配置され、上部支持台７１０は続いて、流体輸送チャンバ５１１の上方に配置される。流体輸送チャンバ５１１は、吸入管２２０を過ぎ直接従来の噴霧チャンバ２４０へ入る、流体の選択的な流れのために、形状が好ましくは鋭角のトンネル形である。
【手続補正４】
【補正対象書類名】明細書
【補正対象項目名】０１０４
【補正方法】変更
【補正の内容】
【０１０４】
図３４〜図３６は、圧縮空気管３３０を経由して噴霧器２００に接続される一体型空気コンプレッサハウジング３１１を示す。固定フィンガグリップ５５５の中心に取り付けられ、ケーブル３６５を介してコンプレッサハウジング３１１に接続されたプランジャースイッチ３６０もまた示される。ケーブル３６５上の任意のコネクタ３６５ａは、噴霧器部分が、洗浄及び衛生化のために便利であるように、より手軽にコンプレッサから切断できるように使用される。スイッチ３６０は、好ましくは使用待機のために「オフ」のままにされる２ボタンの「ロッカー」スイッチである。任意で、それは磁気スイッチ又は他の自動化スイッチにできる。スイッチ３６０は、グリップ５５５の下部に取り付けられた「オン」の接触ボタン３７０に対するプランジャーハンドグリップ５８０の運動によって起動される。スイッチ３６０は、例えばＣｏｎｔｒｏｌ  Ｐｒｏｄｕｃｔｓ，Ｉｎｃ．によってそのＫ５０００シリーズ工業用防水スイッチで提供されるような、２線式の維持接触２ボタン「ロッカー」のような防水スイッチである。「オン」スイッチボタン３７０の下方に置かれた「オフ」スイッチボタン３７０ａは回路をオフにし、システムを「待機」状態に戻す。それは、手動コンプレッサスイッチボタン３４０を押すことにより、又は固定フィンガグリップ５５５に設置されたスイッチ３６０の「オン」スイッチボタン３７０に対するハンドグリップ５８０の接触が引き起こすプランジャーアセンブリ５６０の再起動により、再度通電できる。代替的な実施態様において、表示灯３６５ｂが、待機モードを表示するために加えられる。これは、コネクタ３６５ａが係合され、電力は入っているが、スイッチがオフの状態である。利用可能な電圧と適合したいかなる発光体も使用できるが、好ましい装置は、緑色発光ダイオード（ＬＥＤ）である。
【国際調査報告】
2010538790.tif 000064
2010538790.tif 000065